(57)【要約】  複数のＬＥＤ（１１）を含むバックライトユニット（４９）では、複数のＬＥＤ（１１）が２次元状に配置されることで、それらＬＥＤ（１１）の光の集まりが面状光になっている。そして、このバックライトユニット（４９）では、面状光が複数に区分けされ、その区画に応じて、区画の輝度を変化させられる輝度可変システム｛一例としては、ＬＥＤ（１１）の密集度合いに差をもたせた配置｝が含まれる。
2011024498.tif 000002
【特許請求の範囲】
【請求項１】
複数の点状光源を含む照明装置にあって、
複数の点状光源が２次元状に配置されることで、それら点状光源の光の集まりが面状光になっており、
上記面状光が複数に区分けされ、その区画に応じて、上記区画の輝度を変化させられる輝度可変システムが含まれる照明装置。
【請求項２】
上記輝度可変システムは、上記点状光源の密集度合いに差をもたせた配置である請求項１に記載の照明装置。
【請求項３】
交差する２方向のうち、一方向をＸ方向、他方向をＹ方向とすると、
上記Ｘ方向および上記Ｙ方向に沿って並ぶ上記点状光源が含まれており、
上記Ｘ方向および上記Ｙ方向における少なくとも一方向に沿って並ぶ上記点状光源の間隔が、多種類である請求項２に記載の照明装置。
【請求項４】
上記Ｙ方向に対して同一位置で、かつ、上記Ｘ方向に沿って並ぶ上記点状光源のＸ方向列が、上記Ｙ方向に沿って並ぶことで、
複数の点状光源が、格子状の面状配置となる請求項３に記載の照明装置。
【請求項５】
隣り合う上記Ｘ方向列における上記点状光源の上記Ｘ方向に対する位置が、上記Ｘ方向列毎で同じである請求項４に記載の照明装置。
【請求項６】
隣り合う上記Ｘ方向列における上記点状光源の上記Ｘ方向に対する位置が、上記Ｘ方向列毎に異なる請求項４に記載の照明装置。
【請求項７】
上記Ｘ方向列が上記Ｙ方向に沿って並ぶことで、上記Ｘ方向に対して同一位置で、かつ、上記Ｙ方向に沿って並ぶことになる上記点状光源の列をＹ方向列とすると、
上記Ｘ方向列および上記Ｙ方向列に沿わない上記点状光源が含まれる請求項５または６に記載の照明装置。
【請求項８】
上記Ｘ方向に沿って並ぶ上記点状光源の一列と、上記Ｙ方向に沿って並ぶ上記点状光源の一列とが、相違する向きに光を発し、その光が重なることで、上記面状光が形成される請求項３に記載の照明装置。
【請求項９】
上記面状光における面内中心付近の光を生成する複数の上記点状光源の配置間隔が、上記面状光における上記面内中心付近以外の周辺の光を生成する複数の上記点状光源の配置間隔に比べて、狭い請求項２〜８のいずれか１項に記載の照明装置。
【請求項１０】
上記面状光における面内中心付近の光を生成する複数の上記点状光源の配置間隔が、上記面状光における上記面内中心付近以外の周辺の光を生成する複数の上記点状光源の配置間隔に比べて、広い請求項２〜８のいずれか１項に記載の照明装置。
【請求項１１】
複数の上記点状光源は面状配置しており、
上記の面状配置の配置面には、格子状に分割された複数の分割領域が含まれており、
各分割領域に収まる上記点状光源の個数が、多種類である請求項２に記載の照明装置。
【請求項１２】
上記面状光における面内中心付近の光を生成する上記点状光源が収まる分割領域を中心分割領域、
上記面状光における上記面内中心付近以外の周辺の光を生成する上記点状光源が収まる分割領域を周辺分割領域、
とすると、
上記中心分割領域に含まれる上記点状光源の個数は、上記周辺分割領域に含まれる上記点状光源の個数に比べて多い請求項１１に記載の照明装置。
【請求項１３】
上記面状光における面内中心付近の光を生成する複数の上記点状光源が収まる分割領域を中心分割領域、
上記面状光における上記面内中心付近以外の周辺の光を生成する複数の上記点状光源が収まる分割領域を周辺分割領域、
とすると、
上記周辺分割領域に含まれる上記点状光源の個数は、上記中心分割領域に含まれる上記点状光源の個数に比べて多い請求項１１に記載の照明装置。
【請求項１４】
上記点状光源を実装した実装基板が、複数個配置されており、
単独の上記実装基板における上記点状光源の配置間隔は同じであるものの、上記実装基板間での上記点状光源の配置間隔が異なっている請求項２〜１３のいずれか１項に記載の照明装置。
【請求項１５】
上記面状光における面内中心に重なる仮想線で、上記面状光の面が複数に分けられ、分けられた１つの面状光の光を生成する複数の上記点状光源の配置と、分けられた別の１つの面状光の光を生成する複数の上記点状光源の配置とが、上記仮想線を基準に線対称である請求項２〜１４のいずれが１項に記載の照明装置。
【請求項１６】
上記点状光源への電流値を制御する電流制御部が含まれており、
上記点状光源の配置間隔に広狭が設定されている場合に、
上記電流制御部は、上記点状光源に供給される電流値を、広い配置間隔を形成する上記点状光源と狭い配置間隔を形成する上記点状光源とで、異ならせる請求項２〜１５のいずれか１項に記載の照明装置。
【請求項１７】
広い配置間隔を形成する上記点状光源に供給される電流は、狭い配置間隔を形成する上記点状光源に供給される電流に比べて、高い請求項１６に記載の照明装置。
【請求項１８】
上記点状光源の配置間隔に広狭が設定されており、
上記点状光源の発光効率は、広い配置間隔を形成する上記点状光源と狭い配置間隔を形成する上記点状光源とで、異なる請求項２〜１５のいずれか１項に記載の照明装置。
【請求項１９】
広い配置間隔を形成する上記点状光源の発光効率は、狭い配置間隔を形成する上記点状光源の発光効率に比べて、高い請求項１８に記載の照明装置。
【請求項２０】
上記輝度可変システムは、上記点状光源に供給される電流値の差異によって、上記輝度の変化を生成する電流制御部である請求項１に記載の照明装置。
【請求項２１】
上記輝度可変システムは、上記輝度の変化を生成するために、上記面状光を生成する複数の上記点状光源に、発光効率の異なる上記点状光源を含ませることである請求項１に記載の照明装置。
【請求項２２】
請求項１〜２１のいずれか１項に記載の照明装置と、
上記照明装置から外部へ出射する光を受ける表示パネルと、
を含む表示装置。
【発明の詳細な説明】
【技術分野】
【０００１】
本発明は、例えば液晶表示装置のような表示装置に搭載される照明装置、さらには、表示装置そのものに関する。
【背景技術】
【０００２】
非発光型の液晶表示パネル（表示パネル）を搭載する液晶表示装置（表示装置）では、通常、その液晶表示パネルに対して、光を供給するバックライトユニット（照明装置）も搭載される。バックライトユニットにおける光源には、種々の種類が存在する。例えば、特許文献１に示されるバックライトユニットの場合、光源はＬＥＤ（Light  Emitting  Diode)である。【０００３】
特許文献１に記載のバックライトユニットでは、図３１に示すように、複数のＬＥＤ（点状光源）１１１が、実装基板１１２上にて、等間隔でマトリックス状の格子配置になり、発する光を混ぜ合わせることで、面状光を生成する（なお、このような平面図では、面状光を図示しないが、格子配置のＬＥＤ１１１の群の外縁形状と同じような形の面状光が生成されると解釈するとよい）。そして、この生成された面状光は、液晶表示パネルの全面に供給される。
【先行技術文献】
【特許文献】
【０００４】
【特許文献１】特開２００６−１２８１２５号公報
【発明の概要】
【発明が解決しようとする課題】
【０００５】
しかしながら、昨今の液晶表示パネルは大型化している。そのため、液晶表示パネルのサイズに対応して、面状光の面サイズも大型にならざるを得ない。そのため、特許文献１のバックライトユニットでは、搭載されるＬＥＤ１１１の個数が増大せざるを得ず、そのバックライトユニット、ひいては液晶表示装置のコストが増大してしまう。【０００６】
なお、コスト抑制のために、図３２に示すように、図３１の格子配置のＬＥＤ１１１における周辺のＬＥＤ１１１を間引いたバックライトユニットも考えられる。しかしながら、このようなバックライトユニットであると、面状光における面内中心を含む領域の輝度と、面状光の周辺領域の輝度とに、大きな輝度差が生じ、面状光、ひいては液晶表示パネルの表示画像の輝度均一性（ユニフォミティ）が低下してしまう。【０００７】
本発明は、上記の問題点を解決するためになされたものである。そして、その目的は、ＬＥＤのような点状光源の個数を抑えたり、または、安価なＬＥＤを用いたりすることで、コストを抑えつつも、ユニフォミティの高い面状光を生成可能な照明装置等を提供することにある。
【課題を解決するための手段】
【０００８】
複数の点状光源を含む照明装置では、複数の点状光源が２次元状に配置されることで、それら点状光源の光の集まりが面状光になっている。そして、この照明装置では、面状光が複数に区分けされ、その区画に応じて、区画の輝度を変化させられる輝度可変システムが含まれる。【０００９】
この輝度可変システムは、例えば、点状光源の密集度合いに差をもたせた配置である。これによると、面状光を生成する複数の点状光源の密集度合いが適宜変えられることで、面状光の輝度分布に変化を与えられる（要は、面状光のユニフォミティの向上が可能になる）。特に、点状光源の個数を増加させることなく、点状光源の密集度合いを変えることだけで、安価でありながら、面状光のユニフォミティを向上させた照明装置が完成する。【００１０】
なお、照明装置にて、例えば、交差する２方向のうち、一方向をＸ方向、他方向をＹ方向とすると、その照明装置には、Ｘ方向およびＹ方向に沿って並ぶ点状光源が含まれており、Ｘ方向およびＹ方向における少なくとも一方向に沿って並ぶ点状光源の間隔が、多種類になっていると望ましい。【００１１】
詳説すると、Ｙ方向に対して同一位置で、かつ、Ｘ方向に沿って並ぶ点状光源のＸ方向列が、Ｙ方向に沿って並ぶことで、複数の点状光源が、格子状の面状配置となっており、その格子配置の複数の点状光源の群にて、Ｘ方向およびＹ方向における少なくとも一方向に沿って並ぶ点状光源の間隔が、多種類になっている例が挙げられる。【００１２】
なお、隣り合うＸ方向列における点状光源のＸ方向に対する位置が、Ｘ方向列毎で同じであってもよいし、隣り合うＸ方向列における点状光源のＸ方向に対する位置が、Ｘ方向列毎に異なっていてもよい。【００１３】
また、Ｘ方向列がＹ方向に沿って並ぶことで、Ｘ方向に対して同一位置で、かつ、Ｙ方向に沿って並ぶことになる点状光源の列をＹ方向列とすると（例えば、マトリックス状に点状光源が配置していると）、照明装置に、Ｘ方向列およびＹ方向列に沿わない点状光源が含まれていてもかまわない。このようになっていると、面状光の輝度分布に、細やか変化を与えられる。【００１４】
また、別例としては、Ｘ方向に沿って並ぶ点状光源の一列と、Ｙ方向に沿って並ぶ点状光源の一列とが、例えば、Ｌ字状を形成するように配置し、相違する向きに光を発し、その光が重なることで、面状光が形成されるバックライトユニットが挙げられる。そして、このようなバックライトユニットにて、Ｘ方向およびＹ方向における少なくとも一方向に沿って並ぶ点状光源の間隔が、多種類になっていると望ましい。【００１５】
なお、点状光源の間隔が多種類となる一例としては、以下の２種類が挙げられる。１つは、面状光における面内中心付近の光を生成する複数の点状光源の配置間隔が、面状光における面内中心付近以外の周辺の光を生成する複数の点状光源の配置間隔に比べて、狭い場合である。【００１６】
もう１つは、面状光における面内中心付近の光を生成する複数の点状光源の配置間隔が、面状光における面内中心付近以外の周辺の光を生成する複数の点状光源の配置間隔に比べて、広い場合である。【００１７】
ところで、複数の点状光源の面状配置の例は他にもある。例えば、面状配置の配置面には、格子状に分割された複数の分割領域が含まれており、各分割領域に点状光源が振り分けられていてもよい。ただし、点状光源の密集度合いに差をもたせるために、各分割領域に収まる点状光源の個数が、多種類であると望ましい。【００１８】
例えば、面状光における面内中心付近の光を生成する点状光源が収まる分割領域を中心分割領域、面状光における面内中心付近以外の周辺の光を生成する点状光源が収まる分割領域を周辺分割領域、とする。すると、中心分割領域に含まれる点状光源の個数は、周辺分割領域に含まれる点状光源の個数に比べて多くてもよいし、周辺分割領域に含まれる点状光源の個数は、中心分割領域に含まれる点状光源の個数に比べて多くてもよい。【００１９】
なお、以上のような点状光源は、実装基板に実装されているが、その実装基板の個数は、特に限定されるものではない。例えば、実装基板が複数個配置されており、単独の実装基板における点状光源の配置間隔は同じであるものの、実装基板間での点状光源の配置間隔が異なっていてもよい。【００２０】
このような実装基板であっても、照明装置に複数個含まれることで、点状光源の密集度合いに差が生じるからである。その上、単独の実装基板における点状光源の配置が同じなために、その実装基板が極めて大量生産しやすく、その結果、実装基板のコスト、ひいては照明装置のコストも抑えられる。また、実装基板のサイズが比較的小型になるので、照明装置の製造過程における実装基板の取り扱いが容易になる。したがって、このような実装基板を搭載する照明装置は、容易に製造でき、コストも抑えられる。また、照明装置のサイズに拘泥されることなく、実装基板が流用可能になる。【００２１】
また、面状光における面内中心に重なる仮想線で、面状光の面が複数に分けられ、分けられた１つの面状光の光を生成する複数の点状光源の配置と、分けられた別の１つの面状光の光を生成する複数の点状光源の配置とが、仮想線を基準に線対称であると望ましい。【００２２】
このようになっていると、あるアルゴリズムにしたがって、点状光源が種々制御される場合、同じ制御が繰り返されることから、制御負担が軽減される。また、面状光の輝度分布を左右する点状光源の発光制御プログラムが作成しやすい。【００２３】
ところで、照明装置には、点状光源への電流値を制御する電流制御部が含まれている。そして、電流制御部は、点状光源の配置間隔に広狭が設定されている場合に、点状光源に供給される電流値を、広い配置間隔を形成する点状光源と狭い配置間隔を形成する点状光源とで、異ならせると望ましい。このようになっていると、点状光源固有の発光輝度が変えられるためである。【００２４】
例えば、広い配置間隔を形成する点状光源に供給される電流は、狭い配置間隔を形成する点状光源に供給される電流に比べて、高いと望ましい。【００２５】
このようになっていると、点状光源の密集度合いの差（例えば、広い配置間隔の点状光源の群）によって、面状光の輝度分布にて、若干輝度不足な領域が発生しかねないとしても、その領域の光を生成する点状光源からの光の固有の輝度が高くなる。そのため、輝度不足の領域が面状光に生じにくくなり、その面状光のユニフォミティが確実に向上する。【００２６】
なお、点状光源に供給する電流値に依存することなく、点状光源の発光効率の差異で、面状光のユニフォミティを向上させることもできる。例えば、点状光源の配置間隔に広狭が設定されている場合、点状光源の発光効率は、広い配置間隔を形成する点状光源と狭い配置間隔を形成する点状光源とで、異なっていると望ましい。【００２７】
そして、広い配置間隔を形成する点状光源の発光効率は、狭い配置間隔を形成する点状光源の発光効率に比べて、高くなっていれば、広い配置間隔の点状光源の群によって、面状光の輝度分布にて、若干輝度不足な領域が発生しかねないとしても、その領域の光は、発光効率の高い点状光源の光で、輝度を向上させられ、面状光のユニフォミティが確実に向上する。【００２８】
ところで、上述してきた輝度可変システムは、点状光源の密集度合いに差をもたせた配置だけとは限らない。例えば、点状光源の密集度合いに差の無い配置だったとしても、点状光源に供給される電流値の差異によって、面状光の輝度分布に変化を与える電流制御部が、照明装置に含まれていれば、面状光のユニフォミティは向上する（要は、電流制御部が輝度可変システムといえる）。【００２９】
また、点状光源の密集度合いに差の無い配置だったとしても、面状光を生成する複数の点状光源に、発光効率の異なる点状光源が含まれると、面状光の輝度分布に変化が生じる。そのため、このような発光効率の異なる点状光源の群で、面状光を生成することも、輝度可変システムといえる。【００３０】
なお、以上のような照明装置と、その照明装置から外部へ出射する光を受ける表示パネルと、を含む表示装置も本発明といえる。
【発明の効果】
【００３１】
本発明の照明装置によると、例えば、面状光を生成する複数の点状光源の密集度合いが適宜変えられることで、面状光の輝度分布に変化が与えられ、ひいては、面状光のユニフォミティの向上が可能になる。その上、面状光のユニフォミティの向上のために、点状光源の個数を増加させることなく、点状光源の密集度合いを変えることだけですむので、照明装置のコストは抑制される。
【図面の簡単な説明】
【００３２】
【図１】は、実施例１となるＬＥＤの配置を示す平面図である。
【図２】は、実施例２となるＬＥＤの配置を示す平面図である。
【図３】は、実施例３となるＬＥＤの配置を示す平面図である。
【図４】は、実施例４となるＬＥＤの配置を示す平面図である。
【図５】は、実施例５となるＬＥＤの配置を示す平面図である。
【図６】は、実施例６となるＬＥＤの配置を示す平面図である。
【図７】は、実施例７となるＬＥＤの配置を示す平面図である。
【図８】は、実施例８となるＬＥＤの配置を示す平面図である。
【図９】は、実施例９となるＬＥＤの配置を示す平面図である。
【図１０】は、実施例１０となるＬＥＤの配置を示す平面図である。
【図１１】は、実施例１１となるＬＥＤの配置を示す平面図である。
【図１２】は、実施例１２となるＬＥＤの配置を示す平面図である。
【図１３】は、実施例１３となるＬＥＤの配置を示す平面図である。
【図１４】は、実施例１４となるＬＥＤの配置を示す平面図である。
【図１５】は、実施例１５となるＬＥＤの配置を示す平面図である。
【図１６】は、実施例１６となるＬＥＤの配置を示す平面図である。
【図１７】は、液晶表示装置の分解斜視図である。
【図１８】は、面状光の生成を示す斜視図である。
【図１９】は、液晶表示装置に含まれる種々部材を示すブロック図である。
【図２０】は、面状光の生成を示す斜視図である。
【図２１】は、液晶表示装置の分解斜視図である。
【図２２】は、実施例１７となるＬＥＤの配置を示す平面図である。
【図２３】は、実施例１８となるＬＥＤの配置を示す平面図である。
【図２４】は、実施例１９となるＬＥＤの配置を示す平面図である。
【図２５】は、実施例２０となるＬＥＤの配置を示す平面図である。
【図２６】は、実施例２１となるＬＥＤの配置を示す平面図である。
【図２７】は、実施例２２となるＬＥＤの配置を示す平面図である。
【図２８】は、実施例２３となるＬＥＤの配置を示す平面図である。
【図２９】は、実施例２４となるＬＥＤの配置を示す平面図である。
【図３０】は、実施例２５となるＬＥＤの配置を示す平面図である。
【図３１】は、従来のバックライトユニットに搭載されるＬＥＤの配置を示す平面図である。
【図３２】は、従来のバックライトユニットに搭載されるＬＥＤの配置を示す平面図である。
【発明を実施するための形態】
【００３３】
［実施の形態１］
実施の一形態について、図面に基づいて説明すれば、以下の通りである。なお、便宜上、ハッチングや部材符号等を省略する場合もあるが、かかる場合、他の図面を参照するものとする。逆に、便宜上、断面図ではないが、ハッチングを用いることもある。また、矢印に併記される黒丸は、紙面に対して垂直方向を意味する。
【００３４】
図１７は、液晶表示装置を示す分解斜視図である。この図に示すように、液晶表示装置６９は、液晶表示パネル５９と、この液晶表示パネル５９に対して光を供給するバックライトユニット（照明装置）４９と、を含む。
【００３５】
液晶表示パネル５９は、不図示の液晶を挟み込むアクティブマトリックス基板５１と対向基板５２とを含む（なお、これら基板５１・５２は、枠状のベゼルＢＺに嵌め込まれる）。また、アクティブマトリックス基板５１には、図示されていないが、ゲート信号線とソース信号線とが互いに交差するように配置され、さらに、両信号線の交差点には、液晶に対する印加電圧調整に要するスイッチング素子（例えば、Thin  Film  Transistor）が配置される。
【００３６】
また、アクティブマトリックス基板５１の受光面側、対向基板５２の出射側には、偏光フィルム５３が取り付けられる。そして、以上のような液晶表示パネル５９は、液晶分子の傾きに起因する透過率の変化を利用して、画像を表示する。
【００３７】
次に、液晶表示パネル５９の直下に位置し、液晶表示パネル５９に対して光（バックライト光ＢＬ）を供給するバックライトユニット４９について説明する。バックライトユニット４９は、ＬＥＤモジュール（発光モジュール）ＭＪ、バックライトシャーシ４１、拡散シート４４、プリズムシート４５、および、プリズムシート４６を含む。
【００３８】
ＬＥＤモジュールＭＪは、実装基板１２、およびＬＥＤ（Light  Emitting  Diode）１１を含む。
【００３９】
実装基板１２は、例えば矩形状の基板であり、実装面１２Ｕ上に、複数の電極（不図示）を並べる。そして、これらの電極上に、発光素子であるＬＥＤ１１が取り付けられる。電極は、１枚の実装基板１２の実装面１２Ｕにおいて、交差（直交等）する２方向毎に沿うように配置される（つまり、電極は格子配置となる）。
【００４０】
したがって、図１８に示すように、電極上に、ＬＥＤ１１が取り付けられ、それらＬＥＤ１１が発光すると、複数のＬＥＤ１１からの光が集まって、面状の光ＰＬが生成される。なお、電極（ひいては、ＬＥＤ１１）の配置において、交差する２方向のうち、電極の並列個数の多い列をＸ方向、少ない列をＹ方向とし、さらに、Ｘ方向とＹ方向とに交差する方向をＺ方向とする（なお、Ｘ方向は、液晶表示パネル５９の画面の長手に対応し、Ｙ方向は、液晶表示パネル５９の画面の短手に対応する）。
【００４１】
ＬＥＤ１１は、光源（発光素子、点状光源）であり、実装基板１２の電極を介した電流によって発光する。そして、ＬＥＤ１１の種類は多々あり、例えば、青色発光のＬＥＤチップ（発光チップ）と、そのＬＥＤチップからの光を受けて、黄色光を蛍光発光する蛍光体と、を含むＬＥＤ１１が挙げられる（なお、ＬＥＤチップの個数は特に限定されない）。このようなＬＥＤ１１は、青色発光のＬＥＤチップからの光と蛍光発光する光とで白色光を生成する（なお、白色発光のＬＥＤ１１を、ＬＥＤ１１Ｗと表現することもある）。
【００４２】
また、全く蛍光体を含まないＬＥＤ１１もあり得る。このようなＬＥＤ１１Ｗは、赤色発光の赤色ＬＥＤチップと、緑色発光の緑色ＬＥＤチップと、青色発光の青色ＬＥＤチップと、を含み、全てのＬＥＤチップからの光で白色光を生成する。
【００４３】
なお、ＬＥＤ１１は、白色光のＬＥＤ１１Ｗに限らず、例えば、赤色発光のＬＥＤ１１Ｒ、緑色発光のＬＥＤ１１Ｇ、青色発光のＬＥＤ１１Ｂであってもかまわない。ただし、これらの赤色発光ＬＥＤ１１Ｒ、青色発光ＬＥＤ１１Ｇ、緑色発光ＬＥＤ１１Ｂは、混色で白色光を生成可能なように、比較的密集して配置されると望ましい。
【００４４】
バックライトシャーシ４１は、図１７に示すように、例えば箱状の部材で、底面４１ＢにＬＥＤモジュールＭＪを収容する。なお、バックライトシャーシ４１の底面４１ＢとＬＥＤモジュールＭＪの実装基板１２とは、例えば、リベット（不図示）を介して接続される。
【００４５】
拡散シート４４は、ＬＥＤ１１を敷き詰めた実装面１２Ｕに重なる板状の光学シートであり、ＬＥＤモジュールＭＪから発せられる光を受け、その光を拡散させる。すなわち、拡散シート４４は、複数のＬＥＤモジュールＭＪによって形成される面状光を拡散させて、液晶表示パネル５９全域に光をいきわたらせる。
【００４６】
プリズムシート４５・４６は、例えばシート面内にプリズム形状を有し、光の放射特性を偏向させる光学シートであり、拡散シート４４を覆うように位置する。そのため、このプリズムシート４５・４６は、拡散シート４４から進行してくる光を集光させ、輝度を向上させる。なお、プリズムシート４５とプリズムシート４６とによって集光される各光の発散方向は交差する関係にある。
【００４７】
そして、以上のようなバックライトユニット４９は、ＬＥＤモジュールＭＪによって形成される面状光を、複数枚の光学シート４４〜４６に通過させ、液晶表示パネル５９へ供給する。これにより、非発光型の液晶表示パネル５９は、バックライトユニット４９からのバックライト光ＢＬを受光して表示機能を向上させる。
【００４８】
なお、このような液晶表示装置６９では、図１９のブロック図に示すように、コントロールユニット２１が含まれており、このコントロールユニット２１が、液晶表示装置６９（すなわち、液晶表示パネル５９とバックライトユニット４９）とを統括制御する。
【００４９】
詳説すると、コントロールユニット２１は、映像信号処理部２２、液晶表示パネルコントローラ（ＬＣＤコントローラ）２３、およびＬＥＤコントローラ２４を含む（なお、液晶表示装置６９に含まれるゲートドライバー３１、ソースドライバー３２、およびＬＥＤドライバー３３については後述する）。
【００５０】
映像信号処理部２２は、外部の信号源からの初期の画像信号（初期画像信号Ｆ−ＶＤ）を受信する。その初期画像信号Ｆ−ＶＤは、例えばテレビ信号であり、映像信号とその映像信号に同期する同期信号とが含まれる（なお、映像信号は、例えば、赤色映像信号、緑色映像信号、青色映像信号、輝度信号で構成される）。
【００５１】
そして、映像信号処理部２２は、この同期信号から、液晶表示パネル５９の画像表示に要する新たな同期信号（クロック信号ＣＬＫ、垂直同期信号ＶＳ、および水平同期信号ＨＳ等）を生成する。その後、映像信号処理部２２は、生成した新たな同期信号を、ＬＣＤコントローラ２３およびＬＥＤコントローラ２４に送信する。
【００５２】
また、映像信号処理部２２は、受信した初期画像信号Ｆ-ＤＶを、液晶表示パネル５９の駆動に適した信号ＶＤ−Ｓｐと、バックライトユニット４９（詳説するとＬＥＤ１１）の駆動に適した信号ＶＤ−Ｓｄとに分離させる。そして、映像信号処理部２２は、セパレータ信号ＶＤ−ＳｐをＬＣＤコントローラ２３に送信し、セパレータ信号ＶＤ−ＳｄをＬＥＤコントローラ２４に送信する。
【００５３】
ＬＣＤコントローラ２３は、映像信号処理部２２から送信されてくるクロック信号ＣＬＫ、垂直同期信号ＶＳ、水平同期信号ＨＳ等から、ゲートドライバー３１およびソースドライバー３２を制御するタイミング信号を生成する（なお、ゲートドライバー３１に対応するタイミング信号を、タイミング信号Ｇ−ＴＳ、ソースドライバー３２に対応するタイミング信号を、タイミング信号Ｓ−ＴＳとする）。
【００５４】
そして、ＬＣＤコントローラ２３は、タイミング信号Ｇ−ＴＳをゲートドライバー３１に送信する。一方で、ＬＣＤコントローラ２３は、タイミング信号Ｓ−ＴＳとセパレータ信号ＶＤ−Ｓｐとをソースドライバー３２に送信する。
【００５５】
すると、ソースドライバー３２とゲートドライバー３１とは、両タイミング信号Ｇ−ＴＳ・Ｓ−ＴＳとセパレータ信号ＶＤ−Ｓｐとを用いて、液晶表示パネル５９の画像を制御する。
【００５６】
ＬＥＤコントローラ２４は、ＬＥＤドライバー制御部２５とパルス幅変調部２６とを含む。
【００５７】
ＬＥＤドライバー制御部２５は、映像信号処理部２２からのセパレータ信号ＶＤ−Ｓｄをパルス幅変調部２６に送信する。また、ＬＥＤドライバー制御部２５は、同期信号（クロック信号ＣＬＫ、垂直同期信号ＶＳ、水平同期信号ＨＳ等）からＬＥＤ４１の点灯タイミング信号Ｌ−ＴＳを生成して、ＬＥＤドライバー３３に送信する。
【００５８】
パルス幅変調部２６は、受信したセパレータ信号ＶＤ−Ｓｄに基づいて、パルス幅変調（Pulse  Width  Modulation；ＰＷＭ）方式で、ＬＥＤ１１の発光時間を調整する（なお、このようなパルス幅変調に使用される信号値をＰＷＭ信号と称する）。詳説すると、パルス幅変調部２６は、ＬＥＤ１１の発光制御に適したＰＷＭ信号を、ＬＥＤドライバー３３に送信する。
【００５９】
すると、ＬＥＤドライバー３３は、ＬＥＤコントローラ２４からの信号（ＰＷＭ信号、タイミング信号Ｌ−ＴＳ）に基づいて、ＬＥＤ４１を点灯制御する。
【００６０】
ここで、以上のような液晶表示装置６９、特に、バックライトユニット４９に含まれるＬＥＤ１１の配置について説明する（なお、ＬＥＤ１１の発光を制御するコントロールユニット２１は、全てのＬＥＤ１１を一括で制御することもできるが、それだけに限らず、ＬＥＤ１１毎に発光制御できる、いわゆるローカルディミング機能を有する）。
【００６１】
図１８に示すように、複数のＬＥＤ１１は、２次元状に配置されることのみで、それらＬＥＤ１１の光の集まりが面状光になる。ただし、２次元状のＬＥＤ１１配置の種類は多々ある。例えば、図１に示すようなＬＥＤ１１の配置が挙げられる（なお、このような平面図では、面状光を図示しないが、格子配置のＬＥＤ１１の群の外縁形状と同じような形の面状光が生成されると解釈するとよい）。
【００６２】
詳説すると、図１（実施例１）に示されるバックライトユニット４９では、Ｙ方向に対して同一位置で、かつ、Ｘ方向に沿って並ぶＬＥＤ１１の列（Ｘ方向列）が、Ｙ方向に沿って並ぶことで、複数のＬＥＤ１１が、格子状（マトリックスになった格子状）の面状配置を形成する。また、別表現すると、Ｘ方向に対して同一位置で、かつ、Ｙ方向に沿って並ぶＬＥＤ１１の列（Ｙ方向列）が、Ｘ方向に沿って並ぶことで、複数のＬＥＤ１１が、格子状の面状配置を形成する。
【００６３】
さらに、Ｙ方向列同士の間隔は、同一の間隔Px-s1であるものの、Ｘ方向列同士の間隔は、一定ではない（すなわち、Ｘ方向列同士の間隔が多種類ある）。具体的には、面状光における面内の中心付近に対応するＸ方向列同士の間隔は、面状光における面内の中心付近以外に対応するＸ方向列同士の間隔に比べて狭い。
【００６４】
例えば、図１に示すように、Ｘ方向に１６個、Ｙ方向に８個、並ぶことで、格子配置になったＬＥＤ１１の群では、Ｙ方向における２つの最外位置から４個目に位置する２つのＸ方向列が、面状光の面内中心付近の光を生成する（逆に、この２つのＸ方向列以外のＸ方向列は、面状光における面内の中心付近以外の光を生成する）。すると、この２つのＸ方向列同士の間隔Py-aは、他の隣り合うＸ方向列同士の間隔Py-b、および間隔Py-cに比べて狭い（なお、長短の関係は、間隔Py-a＜間隔Py-b＜間隔Py-cとなる）。
【００６５】
このような格子配置になっていると、面状光にて、面内中心付近の輝度が、その中心付近以外の領域の輝度に比べて、明るくなる（なお、面内中心付近とは、面状光の面の中心を含む任意の領域である）。しかしながら、このような面状光であると、人間の視覚特性の関係上、その面状光（ひいては、面状光を受ける液晶表示パネル５９）における面内中心以外の領域の輝度低下は、あまり感じられない。つまり、面状光全体が均一な輝度を有するものとして認識される（面状光のユニフォミティが比較的高い）。
【００６６】
そのため、例えば、面状光における面内中心以外の領域に対応するＬＥＤ１１の個数を抑えられる。具体例を挙げると、例えば、Ｘ方向およびＹ方向に等間隔で、Ｘ方向に１８個、Ｙ方向に１０個のＬＥＤ１１が配置された場合の面状光が必要であったとする。しかし、Ｙ方向におけるＬＥＤ１１の間隔を多種類にすることで、図１に示すような、Ｘ方向に１６個、Ｙ方向に８個の格子配置にしたとしても、これらの面状光の輝度差を、人間は大差とは感じにくい。
【００６７】
つまり、以上のようなバックライトユニット４９は、人間に、面状光全体を均一な輝度を有するものとして認識させることを目的として、ＬＥＤ１１を配置させる。そのために、このバックライトユニット４９では、面状光は複数に区分けされ、その区画に応じて、区画の輝度を変化させるという指針の下で、複数のＬＥＤ１１が配置される（なお、面状光を区分けして、区画毎に輝度を可変させるＬＥＤ１１の配置を、輝度可変システムと称し、この輝度可変システムは、種々目的に応じて、多様な面状光を生成可能にする）。
【００６８】
例えば、図１に示すようなＬＥＤ１１の配置の場合、面状光にて、面内中心を含み、Ｘ方向に延びる領域の区画（中心区画）と、その領域以外の領域から成る区画（周辺区画）とに分けられる。そして、中心区画に対応する光を生成するＸ方向列同士の間隔Py-aが、他のＸ方向列同士の間隔（間隔Py-b、間隔Py-c）に比べて狭くされる。すなわち、複数のＬＥＤ１１が、密集度合い（ＬＥＤ１１の分布密度）に差をもたせて配置される。これにより、人間は、面状光全体を均一な輝度を有するものとして認識する。
【００６９】
なお、面状光が、面内中心を含む領域の中心区画と、その領域以外の領域から成る周辺区画とに分けられた場合、周辺区画は、さらに複数に分けられてもかまわない。そして、区分けされた周辺小区画の光を生成するＬＥＤ１１の間隔が、周辺小区画毎に異なっていてもよい（例えば、図１のＬＥＤ１１配置の場合、中心区画に近い周辺小区画に対応するＸ方向列同士の間隔Py-bは、残りの周辺小区画に対応するＸ方向列同士の間隔Py-cに比べて長い）。
【００７０】
このようなＬＥＤ１１の配置になっていると、面状光の面内の輝度分布が多様になるので、より確実に、人間に、面状光全体を均一な輝度を有するものとして認識させられる。
【００７１】
ところで、人間に、面状光全体を均一な輝度を有するものとして認識させることを目的としたＬＥＤ１１の配置は、実施例１（ＥＸ１）である図１に示されるＬＥＤ１１の配置に限らず、多々ある。例えば、図２（実施例２）に示すようなＬＥＤ１１の配置であってもよい。
【００７２】
詳説すると、Ｘ方向列同士の間隔は、同一の間隔Py-s1であるものの、Ｙ方向列同士の間隔は、一定ではない（すなわち、Ｙ方向列同士の間隔が多種類ある）。具体的には、面状光における中心付近に対応するＹ方向列同士の間隔は、面状光における中心付近以外に対応するＹ方向列同士の間隔に比べて狭い。
【００７３】
例えば、図２に示すように、Ｘ方向に１６個、Ｙ方向に８個、並ぶことで、格子配置になったＬＥＤ１１の群では、Ｘ方向における２つの最外位置から７個目および８個目に位置する４つのＹ方向列が、面状光の面内中心付近の光を生成する（逆に、この４つのＹ方向列以外のＹ方向列は、面状光における面内の中心付近以外の光を生成する）。すると、この４つのＹ方向列同士の間隔Px-aは、他の隣り合うＹ方向列同士の間隔Px-b、および間隔Px-cに比べて狭い（なお、長短の関係は、間隔Px-a＜間隔Px-b＜間隔Px-cとなる）。
【００７４】
つまり、このようなＬＥＤ１１の配置の場合、面状光にて、面内中心を含み、Ｙ方向に延びる領域の区画（中心区画）と、その領域以外の領域から成る区画（周辺区画）とに分けられる。そして、中心区画に対応する光を生成するＹ方向列同士の間隔Px-aが、他のＹ方向列同士の間隔（間隔Px-b、間隔Px-c）に比べて狭くされることで、人間は、面状光全体を均一な輝度を有するものとして認識する。
【００７５】
また、図３（実施例３）に示すようなＬＥＤ１１の配置であってもよい。詳説すると、Ｘ方向列同士の間隔は、一定ではなく、さらに、Ｙ方向列同士の間隔は、一定ではない（すなわち、Ｘ方向列同士の間隔が多種類あり、さらに、Ｙ方向列同士の間隔が多種類ある）。
【００７６】
具体的には、面状光における中心付近に対応するＸ方向列同士の間隔は、面状光における中心付近以外に対応するＸ方向列同士の間隔に比べて狭く、さらに、面状光における中心付近に対応するＹ方向列同士の間隔は、面状光における中心付近以外に対応するＹ方向列同士の間隔に比べて狭い。
【００７７】
つまり、図３のＬＥＤ１１の配置は、図１のＬＥＤ１１の配置と図２のＬＥＤ１１の配置とが混ざったようなＬＥＤ１１の配置となる。したがって、Ｘ方向に１６個、Ｙ方向に８個、並ぶことで、格子配置になったＬＥＤ１１の群にて、Ｙ方向における２つの最外位置から４個目に位置する２つのＸ方向列と、Ｘ方向における２つの最外位置から７個目および８個目に位置する４つのＹ方向列とが、面状光の面内中心付近の光を生成する（逆に、これらの列以外のＬＥＤ１１は、面状光における面内の中心付近以外の光を生成する）。
【００７８】
そして、Ｙ方向における２つの最外位置から４個目に位置する２つのＸ方向列同士の間隔Py-aは、他の隣り合うＸ方向列同士の間隔Py-b、および間隔Py-cに比べて狭い。その上、Ｘ方向における２つの最外位置から７個目および８個目に位置する４つのＹ方向列同士の間隔Px-aは、他の隣り合うＹ方向列同士の間隔Px-b、および間隔Px-cに比べて狭い。
【００７９】
つまり、交差するＸ方向とＹ方向とに沿ってＬＥＤ１１が配置されている場合、Ｘ方向およびＹ方向における２方向に沿って並ぶＬＥＤ１１の間隔が、多種類であることもあり得る（要は、Ｘ方向およびＹ方向における少なくとも一方向に沿って並ぶＬＥＤ１１の間隔が、多種類であればよい）。そして、このようなＬＥＤ１１の配置であっても、実施例１・２同様に、人間は、面状光全体を均一な輝度を有するものとして認識する。
【００８０】
ところで、図１〜図３までのＬＥＤ１１の格子配置では、隣り合うＸ方向列におけるＬＥＤ１１のＸ方向に対する位置が、Ｘ方向列毎で同じであった（別表現すると、隣り合うＹ方向列におけるＬＥＤ１１のＹ方向に対する位置が、Ｙ方向列毎で同じであった）。そのため、Ｘ方向列およびＹ方向列を示す一点鎖線で区分けされる形状（格子の１つの形状）は、四角形といえた。
【００８１】
しかし、ＬＥＤ１１の配置は、図１〜図３に示すようなマトリックス状の格子配置のものに限定されるわけではない。例えば、図４（実施例４）に示すように、ＬＥＤ１１は千鳥状の格子配置であってもかまわない。すなわち、隣り合うＸ方向列におけるＬＥＤ１１のＸ方向に対する位置が、Ｘ方向列毎に異なっていてもよい（別表現すると、隣り合うＹ方向列におけるＬＥＤ１１のＹ方向に対する位置が、Ｙ方向列毎に異なっていてもよい）。
【００８２】
詳説すると、Ｙ方向列同士の間隔は、同一の間隔Px-s2であるものの、Ｘ方向列同士の間隔は、一定ではない。具体的には、図１同様に、面状光における面内の中心付近に対応するＸ方向列同士の間隔は、面状光における面内の中心付近以外に対応するＸ方向列同士の間隔に比べて狭い。
【００８３】
例えば、図４に示すように、Ｙ方向における１つの最外位置から、１４個のＬＥＤ１１から成るＸ方向列と、１５個のＬＥＤ１１から成るＸ方向列とが、交互にＹ方向に沿って並ぶことで、合計９本のＸ方向列から成る格子配置が形成される。そして、この格子配置になったＬＥＤ１１の群では、Ｙ方向における１つの最外位置から４個目、５個目、６個目に位置する３つのＸ方向列が、面状光の面内中心付近の光を生成する（逆に、この３つのＸ方向列以外のＸ方向列は、面状光における面内の中心付近以外の光を生成する）。すると、この３つのＸ方向列同士の間隔Py-dは、他の隣り合うＸ方向列同士の間隔Py-e、間隔Py-f、および間隔Py-gに比べて狭い（なお、長短の関係は、間隔Py-d＜間隔Py-e＜間隔Py-f＜間隔Py-gとなる）。
【００８４】
つまり、図４に示すようなＬＥＤ１１の配置の場合、面状光にて、面内中心を含み、Ｘ方向に延びる領域の区画（中心区画）と、その領域以外の領域から成る区画（周辺区画）とに分けられる。そして、中心区画に対応する光を生成するＸ方向列同士の間隔Py-dが、他のＸ方向列同士の間隔（間隔Py-e、間隔Py-f、間隔Py-g）に比べて狭くされる。これにより、人間は、面状光全体を均一な輝度を有するものとして認識する。
【００８５】
また、図５（実施例５）に示すようなＬＥＤ１１の配置であってもかまわない。詳説すると、Ｘ方向列同士の間隔は、同一の間隔Py-s2であるものの、Ｙ方向列同士の間隔は、一定ではない。具体的には、面状光における中心付近に対応するＹ方向列同士の間隔は、面状光における中心付近以外に対応するＹ方向列同士の間隔に比べて狭い。
【００８６】
例えば、図５に示すように、Ｘ方向における１つの最外位置から、４個のＬＥＤ１１から成るＹ方向列と、５個のＬＥＤ１１から成るＹ方向列とが、交互にＸ方向に沿って並ぶことで、合計２９本のＹ方向列から成る格子配置が形成される。そして、この格子配置になったＬＥＤ１１の群では、Ｘ方向における１つの最外位置から１２個目〜１８個目に位置する７つのＹ方向列が、面状光の面内中心付近の光を生成する（逆に、この７つのＹ方向列以外のＹ方向列は、面状光における面内の中心付近以外の光を生成する）。すると、この７つのＹ方向列同士の間隔Px-dは、他の隣り合うＹ方向列同士の間隔Px-e、間隔Px-f、間隔Px-g、および間隔Px-hに比べて狭い（なお、長短の関係は、間隔Px-d＜間隔Px-e＜間隔Px-f＜間隔Px-g＜間隔Px-hとなる）。
【００８７】
つまり、このようなＬＥＤ１１の配置の場合、面状光にて、面内中心を含み、Ｙ方向に延びる領域の区画（中心区画）と、その領域以外の領域から成る区画（周辺区画）とに分けられる。そして、中心区画に対応する光を生成するＹ方向列同士の間隔Px-dが、他のＹ方向列同士の間隔（間隔Px-e、間隔Px-f、間隔Px-g、間隔Px-h）に比べて狭くされることで、人間は、面状光全体を均一な輝度を有するものとして認識する。
【００８８】
また、図６（実施例６）に示すようなＬＥＤ１１の配置であってもよい。詳説すると、隣り合うＸ方向列におけるＬＥＤ１１のＸ方向に対する位置を、Ｘ方向列毎に異ならせ、かつ、隣り合うＹ方向列におけるＬＥＤ１１のＹ方向に対する位置を、Ｙ方向列毎に異ならせたＬＥＤ１１の格子配置にあって、Ｘ方向列同士の間隔が一定でなく、さらに、Ｙ方向列同士の間隔も一定でない。
【００８９】
具体的には、面状光における中心付近に対応するＸ方向列同士の間隔は、面状光における中心付近以外に対応するＸ方向列同士の間隔に比べて狭く、さらに、面状光における中心付近に対応するＹ方向列同士の間隔は、面状光における中心付近以外に対応するＹ方向列同士の間隔に比べて狭い。
【００９０】
つまり、図６のＬＥＤ１１の配置は、図４のＬＥＤ１１の配置と図５のＬＥＤ１１の配置とが混ざったようなＬＥＤ１１の配置となる。詳説すると、１４個のＬＥＤ１１から成るＸ方向列と、１５個のＬＥＤ１１から成るＸ方向列とが、交互にＹ方向に沿って並ぶことで、合計９本のＸ方向列から成る格子配置が形成される（別表現すると、４個のＬＥＤ１１から成るＹ方向列と、５個のＬＥＤ１１から成るＹ方向列とが、交互にＸ方向に沿って並ぶことで、合計２９本のＹ方向列から成る格子配置が形成される）。
【００９１】
そして、この格子配置になったＬＥＤ１１の群にて、Ｙ方向における１つの最外位置から４個目、５個目、６個目に位置する３つのＸ方向列と、Ｘ方向における１つの最外位置から１２個目〜１８個目に位置する７つのＹ方向列とが、面状光の面内中心付近の光を生成する（逆に、これらの列以外のＬＥＤ１１は、面状光における面内の中心付近以外の光を生成する）。
【００９２】
そして、Ｙ方向における１つの最外位置から４個目、５個目、６個目に位置する３つのＸ方向列同士の間隔Py-dは、他の隣り合うＸ方向列同士の間隔Py-e、間隔Py-f、および間隔Py-ｇに比べて狭い。その上、Ｘ方向における１つの最外位置から１２個目〜１８個目に位置する７つのＹ方向列同士の間隔Px-dは、他の隣り合うＸ方向列同士の間隔Px-e、間隔Px-f、間隔Px-g、および間隔Px-hに比べて狭い。
【００９３】
つまり、交差するＸ方向とＹ方向とに沿ってＬＥＤ１１が配置されている場合、Ｘ方向およびＹ方向における２方向に沿って並ぶＬＥＤ１１の間隔が、多種類であることもあり得る。そして、このようなＬＥＤ１１の配置であっても、実施例５・６同様に、人間は、面状光全体を均一な輝度を有するものとして認識する。
【００９４】
また、図７（実施例７）に示すように、千鳥状に配置されたＬＥＤ１１の群にて、Ｘ方向列およびＹ方向列に含まれないＬＥＤ（網点ハッチングを付されたＬＥＤ１１）が、含まれていてもかまわない。また、図１〜図３に示されるような、マトリックス状に配置されたＬＥＤ１１の群にて、Ｘ方向列およびＹ方向列に含まれないＬＥＤが、含まれていてもかまわない。これらのように散らばった配置のＬＥＤ１１があれば、面状光の輝度調整の自由度が向上するためである（要は、細やかな輝度調整が可能になる）。
【００９５】
なお、例えば、５２インチの画面を有する液晶表示装置６９の場合に、実施例１のように、Ｙ方向にて不規則ピッチで配置されたＬＥＤ１１の個数と、Ｘ方向およびＹ方向ともに均等間隔にされたＬＥＤの配置とを比較すると、実施例１でのＬＥＤ１１の個数は、比較対象のＬＥＤの個数に対して、約８３％の個数ですむ。
【００９６】
具体的な例を挙げると、比較対象のＬＥＤが、Ｘ方向に沿って２４個、Ｙ方向に沿って１２個で、総数２８８個で配置されている場合に、実施例１における複数のＬＥＤ１１は、最外のＸ方向列を１列（すなわち合計２列）削減した後の２４０個（２４×１０）で、不均等に配置される。
【００９７】
なお、比較対象におけるＬＥＤの配置間隔と、実施例１におけるＬＥＤ１１の比較的狭い配置間隔(例えば、間隔Py-a)とを比較すると、実施例１における狭いＬＥＤ１１の配置間隔のほうが短い。
【００９８】
［実施の形態２］
実施の形態２について説明する。なお、実施の形態１で用いた部材と同様の機能を有する部材については同一の符号を付記し、その説明を省略する。
【００９９】
実施の形態１におけるＬＥＤ１１の配置は、人間に、面状光全体を均一な輝度を有するものとして認識させることを目的としていた。しかし、他の目的、例えば、面状光における特定の領域の輝度向上を図ることを目的として、面状光が複数に区分けされ、その区画に応じて、区画の輝度を変化させるようなＬＥＤ１１の配置もある。例えば、図８〜図１４に示されるようなＬＥＤ１１の配置である。
【０１００】
図８（実施例８）のＬＥＤ１１の配置は、図１に示される実施例１のＬＥＤの配置と同様に、Ｙ方向に対して同一位置で、かつ、Ｘ方向に沿って並ぶＬＥＤ１１の列（Ｘ方向列）が、Ｙ方向に沿って並ぶことで、複数のＬＥＤ１１が、格子状の面状配置を形成する（なお、後述の図９に示される実施例９および図１０に示される実施例１０のＬＥＤ１１の配置も、実施例８同様に、マトリックス状の格子配置で、隣り合うＸ方向列におけるＬＥＤ１１のＸ方向に対する位置が、Ｘ方向列毎で同じである）。
【０１０１】
さらに、図８のＬＥＤ１１の配置は、図１のＬＥＤの配置と同様に、Ｙ方向列同士の間隔は、同一の間隔Px-s1であるものの、Ｘ方向列同士の間隔は、一定ではない（すなわち、Ｘ方向列同士の間隔が多種類ある）。ただし、図８のＬＥＤ１１の配置は、図１のＬＥＤの配置と異なって、面状光における面内の中心付近に対応するＸ方向列同士の間隔は、面状光における面内の中心付近以外に対応するＸ方向列同士の間隔に比べて広い。
【０１０２】
例えば、図８に示すように、Ｘ方向に１６個、Ｙ方向に８個、並ぶことで、格子配置になったＬＥＤ１１の群では、Ｙ方向における２つの最外位置から４個目に位置する２つのＸ方向列が、面状光の面内中心付近の光を生成する（逆に、この２つのＸ方向列以外のＸ方向列は、面状光における面内の中心付近以外の光を生成する）。すると、この２つのＸ方向列同士の間隔Py-c'は、他の隣り合うＸ方向列同士の間隔Py-b'、および間隔Py-a'に比べて広い（なお、長短の関係は、間隔Py-c'＞間隔Py-b'＞間隔Py-a'となる）。
【０１０３】
このようなＬＥＤ１１の格子配置になっていると、面状光にて、面内中心付近以外である周辺領域の輝度が、その中心付近の領域の輝度に比べて、明るくなる。したがって、面状光のユニフォミティを確保しつつも、面状光の周辺領域の輝度不足を防げる。
【０１０４】
つまり、このようなＬＥＤ１１の配置の場合、面状光にて、面内中心を含み、Ｘ方向に延びる領域の区画（中心区画）と、その領域以外の領域から成る区画（周辺区画）とに分けられる。そして、周辺区画に対応する光を生成するＸ方向列同士の間隔Py-a'、および間隔Py-b'が、中心区画に対応する光を生成するＸ方向列同士の間隔Py-c'に比べて狭くされることで、面状光のユニフォミティを確保しつつも、面状光の周辺領域の輝度不足が防がれる。
【０１０５】
なお、面状光は、実施の形態１同様に、面内中心を含む領域の中心区画と、その領域以外の領域から成る周辺区画とに分けられた場合、周辺区画は、さらに複数に分けられてもかまわない。そして、区分けされた周辺小区画の光を生成するＬＥＤ１１の間隔が、周辺小区画毎に異なっていてもよい（例えば、図８のＬＥＤ１１配置の場合、中心区画から離れた周辺小区画に対応するＸ方向列同士の間隔Py-a'は、中心区画に近い周辺小区画に対応するＸ方向列同士の間隔Py-b'に比べて狭い）。
【０１０６】
このようなＬＥＤ１１の配置になっていると、面状光の面内の輝度分布が多様になるので、より確実に、人間に、面状光の周辺領域の輝度不足を防げる。
【０１０７】
また、図９（実施例９）に示すようなＬＥＤ１１の配置であってもよい。図９のＬＥＤ１１の配置は、図２に示される実施例２のＬＥＤの配置と同様に、Ｘ方向列同士の間隔は、同一の間隔Py-s1であるものの、Ｙ方向列同士の間隔は、一定ではない（すなわち、Ｙ方向列同士の間隔が多種類ある）。ただし、図９のＬＥＤ１１の配置は、図２のＬＥＤの配置と異なって、面状光における面内の中心付近に対応するＹ方向列同士の間隔は、面状光における面内の中心付近以外に対応するＹ方向列同士の間隔に比べて広い。
【０１０８】
例えば、図９に示すように、Ｘ方向に１６個、Ｙ方向に８個、並ぶことで、格子配置になったＬＥＤ１１の群では、Ｘ方向における２つの最外位置から７個目および８個目に位置する４つのＹ方向列が、面状光の面内中心付近の光を生成する（逆に、この４つのＹ方向列以外のＹ方向列は、面状光における面内の中心付近以外の光を生成する）。すると、この４つのＹ方向列同士の間隔Px-c'は、他の隣り合うＹ方向列同士の間隔Px-b'、および間隔Px-a'に比べて広い（なお、長短の関係は、間隔Px-c'＞間隔Px-b'＞間隔Px-a'となる）。
【０１０９】
つまり、このようなＬＥＤ１１の配置の場合、面状光にて、面内中心を含み、Ｙ方向に延びる領域の区画（中心区画）と、その領域以外の領域から成る区画（周辺区画）とに分けられる。そして、周辺区画に対応する光を生成するＹ方向列同士の間隔Px-a'、および間隔Px-ｂ'が、中心区画に対応する光を生成するＸ方向列同士の間隔Px-c'に比べて狭くされることで、面状光のユニフォミティを確保しつつも、面状光の周辺領域の輝度不足が防がれる。
【０１１０】
また、図１０（実施例１０）に示すようなＬＥＤ１１の配置であってもよい。詳説すると、図１０のＬＥＤ１１の配置は、図３のＬＥＤの配置と同様に、Ｘ方向列同士の間隔は、一定ではなく、さらに、Ｙ方向列同士の間隔は、一定ではない（すなわち、Ｘ方向列同士の間隔が多種類あり、さらに、Ｙ方向列同士の間隔が多種類ある）。
【０１１１】
ただし、面状光における中心付近に対応するＸ方向列同士の間隔は、面状光における中心付近以外に対応するＸ方向列同士の間隔に比べて広く、さらに、面状光における中心付近に対応するＹ方向列同士の間隔は、面状光における中心付近以外に対応するＹ方向列同士の間隔に比べて広い。
【０１１２】
つまり、図１０のＬＥＤ１１の配置は、図８のＬＥＤ１１の配置と図９のＬＥＤ１１の配置とが混ざったようなＬＥＤ１１の配置となる。したがって、Ｘ方向に１６個、Ｙ方向に８個、並ぶことで、格子配置になったＬＥＤ１１の群にて、Ｙ方向における２つの最外位置から４個目に位置する２つのＸ方向列と、Ｘ方向における２つの最外位置から７個目および８個目に位置する４つのＹ方向列とが、面状光の面内中心付近の光を生成する（逆に、これらの列以外のＬＥＤ１１は、面状光における面内の中心付近以外の光を生成する）。
【０１１３】
そして、Ｙ方向における２つの最外位置から４個目に位置する２つのＸ方向列同士の間隔Py-c'は、他の隣り合うＸ方向列同士の間隔Py-b'、および間隔Py-a'に比べて広い。その上、Ｘ方向における２つの最外位置から７個目および８個目に位置する４つのＹ方向列同士の間隔Px-c'は、他の隣り合うＹ方向列同士の間隔Px-b'、および間隔Px-a'に比べて広い。
【０１１４】
つまり、交差するＸ方向とＹ方向とに沿ってＬＥＤ１１が配置されている場合、Ｘ方向およびＹ方向における２方向に沿って並ぶＬＥＤ１１の間隔が、多種類であることもあり得る（要は、Ｘ方向およびＹ方向における少なくとも一方向に沿って並ぶＬＥＤ１１の間隔が、多種類であればよい）。そして、このようなＬＥＤ１１の配置であっても、実施例８・９同様に、面状光のユニフォミティを確保しつつも、面状光の周辺領域の輝度不足が防がれる。
【０１１５】
また、図１１（実施例１１）に示すようなＬＥＤ１１の配置であってもよい。図１１のＬＥＤ１１の配置は、図４に示される実施例４のＬＥＤの配置と同様に、隣り合うＸ方向列におけるＬＥＤ１１のＸ方向に対する位置が、Ｘ方向列毎に異なっている。別表現すると、隣り合うＹ方向列におけるＬＥＤ１１のＹ方向に対する位置が、Ｙ方向列毎に異なっている（なお、後述の図１２に示される実施例１２および図１３に示される実施例１３のＬＥＤ１１の配置も、実施例１１同様に、千鳥状の格子配置である）。
【０１１６】
詳説すると、Ｙ方向列同士の間隔は、同一の間隔Px-s2であるものの、Ｘ方向列同士の間隔は、一定ではない。ただし、図１１のＬＥＤ１１の配置は、図４のＬＥＤの配置と異なって、面状光における面内の中心付近に対応するＸ方向列同士の間隔は、面状光における面内の中心付近以外に対応するＸ方向列同士の間隔に比べて広い。
【０１１７】
例えば、図１１に示すように、Ｙ方向における１つの最外位置から、１４個のＬＥＤ１１から成るＸ方向列と、１５個のＬＥＤ１１から成るＸ方向列とが、交互にＹ方向に沿って並ぶことで、合計９本のＸ方向列から成る格子配置が形成される。そして、この格子配置になったＬＥＤ１１の群では、Ｙ方向における１つの最外位置から４個目、５個目、６個目に位置する３つのＸ方向列が、面状光の面内中心付近の光を生成する（逆に、この３つのＸ方向列以外のＸ方向列は、面状光における面内の中心付近以外の光を生成する）。すると、この３つのＸ方向列同士の間隔Py-g'は、他の隣り合うＸ方向列同士の間隔Py-f'、間隔Py-e'、および間隔Py-d'に比べて広い（なお、長短の関係は、間隔Py-d'＜間隔Py-e'＜間隔Py-f'＜間隔Py-g'となる）。
【０１１８】
つまり、このようなＬＥＤ１１の配置の場合、面状光にて、面内中心を含み、Ｘ方向に延びる領域の区画（中心区画）と、その領域以外の領域から成る区画（周辺区画）とに分けられる。そして、周辺区画に対応する光を生成するＸ方向列同士の間隔Py-d'、間隔Py-e'、および間隔Py-f'が、中心区画に対応する光を生成するＸ方向列同士の間隔Py-g'に比べて狭くされることで、面状光のユニフォミティを確保しつつも、面状光の周辺領域の輝度不足が防がれる。
【０１１９】
また、図１２（実施例１２）に示すようなＬＥＤ１１の配置であってもよい。図１２のＬＥＤ１１の配置は、図５に示される実施例５のＬＥＤの配置と同様に、Ｘ方向列同士の間隔は、同一の間隔Py-s2であるものの、Ｙ方向列同士の間隔は、一定ではない。ただし、図１２のＬＥＤ１１の配置は、図５のＬＥＤの配置と異なって、面状光における面内の中心付近に対応するＹ方向列同士の間隔は、面状光における面内の中心付近以外に対応するＹ方向列同士の間隔に比べて広い。
【０１２０】
例えば、図１２に示すように、Ｘ方向における１つの最外位置から、４個のＬＥＤ１１から成るＹ方向列と、５個のＬＥＤ１１から成るＹ方向列とが、交互にＸ方向に沿って並ぶことで、合計２９本のＹ方向列から成る格子配置が形成される。そして、この格子配置になったＬＥＤ１１の群では、Ｘ方向における１つの最外位置から１３個目〜１７個目に位置する５つのＹ方向列が、面状光の面内中心付近の光を生成する（逆に、この５つのＹ方向列以外のＹ方向列は、面状光における面内の中心付近以外の光を生成する）。すると、この５つのＹ方向列同士の間隔Px-h'は、他の隣り合うＹ方向列同士の間隔Px-d'、間隔Px-e'、間隔Px-f'、および間隔Px-g'に比べて広い（なお、長短の関係は、間隔Px-d'＜間隔Px-e'＜間隔Px-f'＜間隔Px-g'＜間隔Px-h'となる）。
【０１２１】
つまり、このようなＬＥＤ１１の配置の場合、面状光にて、面内中心を含み、Ｙ方向に延びる領域の区画（中心区画）と、その領域以外の領域から成る区画（周辺区画）とに分けられる。そして、周辺区画に対応する光を生成するＹ方向列同士の間隔Px-d',間隔Px-e'、間隔Px-f'、および間隔Px-g'が、中心区画に対応する光を生成するＹ方向列同士の間隔Px-h'に比べて狭くされることで、面状光のユニフォミティを確保しつつも、面状光の周辺領域の輝度不足が防がれる。
【０１２２】
また、図１３（実施例１３）に示すようなＬＥＤ１１の配置であってもよい。詳説すると、図１３のＬＥＤ１１の配置は、図６に示される実施例６のＬＥＤ１１の配置と同様に、隣り合うＸ方向列におけるＬＥＤ１１のＸ方向に対する位置を、Ｘ方向列毎に異なり、かつ、隣り合うＹ方向列におけるＬＥＤ１１のＹ方向に対する位置を、Ｙ方向列毎に異ならせたＬＥＤ１１の格子配置である。
【０１２３】
ただし、面状光における中心付近に対応するＸ方向列同士の間隔は、面状光における中心付近以外に対応するＸ方向列同士の間隔に比べて広く、さらに、面状光における中心付近に対応するＹ方向列同士の間隔は、面状光における中心付近以外に対応するＹ方向列同士の間隔に比べて広い。
【０１２４】
つまり、図１３のＬＥＤ１１の配置は、図１１のＬＥＤ１１の配置と図１２のＬＥＤ１１の配置とが混ざったようなＬＥＤ１１の配置となる。詳説すると、１４個のＬＥＤ１１から成るＸ方向列と、１５個のＬＥＤ１１から成るＸ方向列とが、交互にＹ方向に沿って並ぶことで、合計９本のＸ方向列から成る格子配置が形成される（別表現すると、４個のＬＥＤ１１から成るＹ方向列と、５個のＬＥＤ１１から成るＹ方向列とが、交互にＸ方向に沿って並ぶことで、合計２９本のＹ方向列から成る格子配置が形成される）。
【０１２５】
そして、この格子配置になったＬＥＤ１１の群にて、Ｙ方向における１つの最外位置から４個目、５個目、６個目に位置する３つのＸ方向列と、Ｘ方向における１つの最外位置から１３個目〜１７個目に位置する５つのＹ方向列とが、面状光の面内中心付近の光を生成する（逆に、これらの列以外のＬＥＤ１１は、面状光における面内の中心付近以外の光を生成する）。
【０１２６】
そして、Ｙ方向における１つの最外位置から４個目、５個目、６個目に位置する３つのＸ方向列同士の間隔Py-g'は、他の隣り合うＸ方向列同士の間隔Py-d'、間隔Py-e'、および間隔Py-f'に比べて広い。その上、Ｘ方向における１つの最外位置から１３個目〜１７個目に位置する５つのＹ方向列同士の間隔Px-h'は、他の隣り合うＹ方向列同士の間隔Px-d'、間隔Px-e'、間隔Px-f'、および間隔Px-g'に比べて広い。
【０１２７】
つまり、交差するＸ方向とＹ方向とに沿ってＬＥＤ１１が配置されている場合、Ｘ方向およびＹ方向における２方向に沿って並ぶＬＥＤ１１の間隔が、多種類であることもあり得る。そして、このようなＬＥＤ１１の配置であっても、実施例１１・１２同様に、面状光のユニフォミティを確保しつつも、面状光の周辺領域の輝度不足が防がれる。
【０１２８】
また、図１４（実施例１４）に示すように、千鳥状に配置されたＬＥＤ１１の群にて、Ｘ方向列およびＹ方向列に含まれないＬＥＤ（網点ハッチングを付されたＬＥＤ１１）が、含まれていてもかまわない。また、図８〜図１９に示されるような、マトリックス状に配置されたＬＥＤ１１の群にて、Ｘ方向列およびＹ方向列に含まれないＬＥＤが、含まれていてもかまわない。このように、散らばった配置のＬＥＤ１１があれば、面状光の輝度調整の自由度が向上するためである（要は、細やかな輝度調整が可能になる）。
【０１２９】
なお、実施の形態２におけるＬＥＤ１１の配置間隔の具体的数値は、適宜設定可能であるが、面状光の中心付近の過度の輝度低下を防止すべく、例えば、実施の形態１での面状光の中心付近の光を生成するＬＥＤ１１の配置間隔に近い数値が設定されると望ましい（ただし、バックライトユニット４９のコストバランス、消費電力のバランス、および、面状光のユニフォミティのバランスを考慮して、ＬＥＤ１１は配置される）。
【０１３０】
［実施の形態３］
実施の形態３について説明する。なお、実施の形態１・２で用いた部材と同様の機能を有する部材については同一の符号を付記し、その説明を省略する。
【０１３１】
実施の形態１・２における実施例１〜６および実施例８〜１３では、実装基板１２の実装面１２Ｕ上にて、Ｘ方向のほぼ全域に渡るＸ方向列と、Ｙ方向のほぼ全域に渡るＹ方向列とに、全てのＬＥＤ１１が含まれていた。しかし、これに限定されるものではない。すなわち、Ｘ方向列およびＹ方向列という規則性以外の別の規則にしたがって、ＬＥＤ１１が配置されることもある。例えば、図１５（実施例１５）に示すようなＬＥＤ１１の配置である。
【０１３２】
図１５に示すように、複数のＬＥＤ１１は面状配置しており、この面状配置の配置面には、格子状に分割された複数の分割領域１３が含まれる（点線で区分けされた領域を参照）。そして、この分割領域１３に収まるように、ＬＥＤ１１が配置される。ただし、各分割領域１３に収まるＬＥＤ１１の個数は、多種類である。なぜなら、このようになっていると、ＬＥＤ１１の密集度合いに差をもたせた配置が可能になるためである。
【０１３３】
つまり、実施の形態１のように、人間に、面状光全体を均一な輝度を有するものとして認識させたい場合、図１５に示すように、実装面１２Ｕの中心付近の分割領域１３に含まれるＬＥＤ１１の個数が、実装面１２Ｕの周辺付近の分割領域１３に含まれるＬＥＤ１１の個数よりも多いとよい。詳説すると、面状光における面内中心付近の光を生成するＬＥＤ１１が収まる分割領域１３を中心分割領域１３Ｃ、面状光における面内中心付近以外の周辺の光を生成するＬＥＤ１１が収まる分割領域１３を周辺分割領域１３Ｔ、とすると、中心分割領域１３Ｃに含まれるＬＥＤ１１の個数は、周辺分割領域１３Ｔに含まれるＬＥＤ１１の個数に比べて多いとよい。
【０１３４】
また、実施の形態２のように、面状光のユニフォミティを確保しつつも、面状光の周辺領域の輝度不足を防ぎたい場合、図１６（実施例１６）に示すように、実装面１２Ｕの周辺付近の分割領域１３に含まれるＬＥＤ１１の個数が、実装面１２Ｕの中心付近の分割領域１３に含まれるＬＥＤ１１の個数よりも多いとよい。詳説すると、周辺分割領域１３Ｔに含まれるＬＥＤ１１の個数は、中心分割領域１３Ｃに含まれるＬＥＤ１１の個数に比べて多いとよい。
【０１３５】
［実施の形態４］
実施の形態３について説明する。なお、実施の形態１〜３で用いた部材と同様の機能を有する部材については同一の符号を付記し、その説明を省略する。
【０１３６】
実施の形態１〜３では、格子配置された全てのＬＥＤ１１が、同方向に向けて光を出射し、その光が混ざり合って面状光が生成されていた（図１８参照）。しかし、面状光の生成は、これに限定されるものではない。例えば、図２０に示すように、Ｘ方向に沿って並ぶＬＥＤ１１の一列（１本のＬＥＤモジュールＭＪｘ）と、Ｙ方向に沿って並ぶＬＥＤ１１の一列（１本のＬＥＤモジュールＭＪｙ）とが、相違（例えば、交差）する向きに光を発し、その光が重なることで、面状光が形成されてもよい。
【０１３７】
ただし、図２０に示される面状光は、光学シート４４〜４６、ひいては、液晶表示パネル５９に向かって進行しにくい。そこで、図２１に示すように、Ｘ方向に沿って並ぶＬＥＤ１１を実装基板１２に実装したＬＥＤモジュールＭＪｘと、Ｙ方向に沿って並ぶＬＥＤ１１を実装基板１２に実装したＬＥＤモジュールＭＪｙとが、導光板４２における交差する側面に、配置されるとよい（要は、Ｘ方向に沿って並ぶＬＥＤ１１の一列と、Ｙ方向に沿って並ぶＬＥＤ１１の一列とが交差することで、２次元状に、ＬＥＤ１１が配置されるとよい）。
【０１３８】
このようになっていると、２つのＬＥＤモジュールＭＪ（ＭＪｘ・ＭＪｙ）からの光が、導光板４２の内部で多重反射し、導光板４２の天面４２Ｕから面状光が出射する。そのため、図２１に示すように、導光板４２の天面４２Ｕに、光学シート４４〜４６および液晶表示パネル５９が重なっていれば、それらに、面状光が供給される（なお、導光板４２の底面４２Ｂから漏れる光は、反射シート４３によって反射され、導光板４２に戻される）。
【０１３９】
なお、実施の形態１のように、人間に、面状光全体を均一な輝度を有するものとして認識させたい場合、例えば図２２（実施例１７）に示すように、ＬＥＤモジュールＭＪｘにおける列状のＬＥＤ１１にて、中心付近のＬＥＤ１１同士の間隔が、周辺付近のＬＥＤ１１同士の間隔よりも狭く、ＬＥＤモジュールＭＪｙにおける列状のＬＥＤ１１にて、中心付近のＬＥＤ１１同士の間隔が、周辺付近のＬＥＤ１１同士の間隔よりも狭くなっているとよい。
【０１４０】
ただし、これに限らず、バックライトユニット４９は、図２２に示されるような、ＬＥＤ１１の密集度合いに差の有るＬＥＤモジュールＭＪｘを搭載する一方、密集度合いの均等なＬＥＤモジュールＭＪｙ（要は、ＬＥＤ１１同士の間隔が均等なＬＥＤモジュールＭＪｙ）を搭載していてもよい。逆に、図２２に示されるような、ＬＥＤ１１の密集度合いに差の有るＬＥＤモジュールＭＪｙを搭載する一方、密集度合いの均等なＬＥＤモジュールＭＪｘを搭載したバックライトユニット４９であってもよい。
【０１４１】
また、面状光のユニフォミティを確保しつつも、面状光の周辺領域の輝度不足を防ぎたい場合、例えば図２３（実施例１８）に示すように、ＬＥＤモジュールＭＪｘにおける列状のＬＥＤ１１にて、中心付近のＬＥＤ１１同士の間隔が、周辺付近のＬＥＤ１１同士の間隔よりも広く、ＬＥＤモジュールＭＪｙにおける列状のＬＥＤ１１にて、中心付近のＬＥＤ１１同士の間隔が、周辺付近のＬＥＤ１１同士の間隔よりも広くなっているとよい。
【０１４２】
ただし、これに限らず、バックライトユニット４９は、図２３に示されるような、ＬＥＤ１１の密集度合いに差の有るＬＥＤモジュールＭＪｘを搭載する一方、密集度合いの均等なＬＥＤモジュールＭＪｙ（要は、ＬＥＤ１１同士の間隔が均等なＬＥＤモジュールＭＪｙ）を搭載していてもよい。逆に、図２３に示されるような、ＬＥＤ１１の密集度合いに差の有るＬＥＤモジュールＭＪｙを搭載する一方、密集度合いの均等なＬＥＤモジュールＭＪｘを搭載したバックライトユニット４９であってもよい。
【０１４３】
なお、図２２および図２３では、ＬＥＤモジュールＭＪが、Ｌ字状を形成するように配置されていたが、これに限定されるものではない。例えば、図２４（実施例１９）に示すように、２つのＬＥＤモジュールＭＪｘが、導光板４２を挟んで、対向配置してもかまわない（要は、対向する導光板４２の側面に、１つずつ、ＬＥＤモジュールＭＪｘが配置されてもよい）。
【０１４４】
このようなＬＥＤ１１の配置であっても、相違する向きに光を発し、その光が重なることで、面状光が形成される。その上、導光板４２内に、対向する２つのＬＥＤモジュールＭＪｘからの光が入射することで、光学シート４４〜４６および液晶表示パネル５９に、面状光が供給される。
【０１４５】
なお、実施例１９では、人間に、面状光全体を均一な輝度を有するものとして認識させるために、２つのＬＥＤモジュールＭＪｘにおける列状のＬＥＤ１１にて、中心付近のＬＥＤ１１同士の間隔が、周辺付近のＬＥＤ１１同士の間隔よりも狭くなっていた。しかし、このような配置に限定されることはない。例えば、２つのＬＥＤモジュールＭＪｘのうち、一方だけが、密集度合いに差の有るＬＥＤモジュールＭＪｘであってもよい。
【０１４６】
また、面状光のユニフォミティを確保しつつも、面状光の周辺領域の輝度不足を防ぐために、中心付近のＬＥＤ１１同士の間隔が、周辺付近のＬＥＤ１１同士の間隔よりも広くなったＬＥＤモジュールＭＪｘが、２つ、対向配置されていてもよい（もちろん、例えば、２つのＬＥＤモジュールＭＪｘのうち、一方だけが、密集度合いに差の有るＬＥＤモジュールＭＪｘであってもよい）。
【０１４７】
また、実施例１９では、Ｘ方向に沿ったＬＥＤモジュールＭＪｘが対向配置されていたが、これに限らず、Ｙ方向に沿ったＬＥＤモジュールＭＪｙが、２つ、導光板４２を挟んで対向配置してもかまわない（要は、対向する導光板４２の側面に、１つずつ、ＬＥＤモジュールＭＪｙが配置されてもよい）。もちろん、２つのＬＥＤモジュールＭＪyにおける列状のＬＥＤ１１にて、中心付近のＬＥＤ１１同士の間隔は、周辺付近のＬＥＤ１１同士の間隔よりも狭くなっていてもよいし、広くなっていてもかまわない。
【０１４８】
さらには、図２５（実施例２０）に示すように、４つのＬＥＤモジュールＭＪ（すなわち、２つのＬＥＤモジュールＭＪｘおよび２つのＬＥＤモジュールＭＪｙ）が、導光板４２を挟んで、環状に配置してもかまわない。要は、対向する導光板４２の全側面に、１つずつ、ＬＥＤモジュールＭＪが配置されてもよい。
【０１４９】
なお、ＬＥＤモジュールＭＪにおけるＬＥＤ１１の配置間隔は種々考えられる。例えば、人間に、面状光全体を均一な輝度を有するものとして認識させるために、中心付近のＬＥＤ１１同士の間隔を、周辺付近のＬＥＤ１１同士の間隔よりも狭くしたＬＥＤモジュールＭＪｘ・ＭＪｙが配置される場合や、面状光の周辺領域の輝度不足を防ぐために、中心付近のＬＥＤ１１同士の間隔を、周辺付近のＬＥＤ１１同士の間隔よりも広くしたＬＥＤモジュールＭＪｘ・ＭＪｙが配置される場合、がある。
【０１５０】
また、図２６（実施例２１）に示すように、面状光のユニフォミティを確実に向上させるために、対向するＬＥＤモジュールＭＪにおいて、ＬＥＤ１１の密集度合いの種類が異なっていてもよい。
【０１５１】
すなわち、対向するＬＥＤモジュールＭＪｘにおいて、一方のＬＥＤモジュールＭＪｘでは、中心付近のＬＥＤ１１同士の間隔が、周辺付近のＬＥＤ１１同士の間隔よりも狭く、他方のＬＥＤモジュールＭＪｘでは、中心付近のＬＥＤ１１同士の間隔が、周辺付近のＬＥＤ１１同士の間隔よりも広くなっている。また、対向するＬＥＤモジュールＭＪｙにおいて、一方のＬＥＤモジュールＭＪｙでは、中心付近のＬＥＤ１１同士の間隔が、周辺付近のＬＥＤ１１同士の間隔よりも狭く、他方のＬＥＤモジュールＭＪｙでは、中心付近のＬＥＤ１１同士の間隔が、周辺付近のＬＥＤ１１同士の間隔よりも広くなっている。
【０１５２】
なお、２つのＬＥＤモジュールＭＪｘを対向配置させたバックライトユニット４９（図２４参照）であっても、一方のＬＥＤモジュールＭＪｘでは、中心付近のＬＥＤ１１同士の間隔が、周辺付近のＬＥＤ１１同士の間隔よりも狭く、他方のＬＥＤモジュールＭＪｘでは、中心付近のＬＥＤ１１同士の間隔が、周辺付近のＬＥＤ１１同士の間隔よりも広くなっていてもよい。
【０１５３】
また、２つのＬＥＤモジュールＭＪｙを対向配置させたバックライトユニット４９であっても、一方のＬＥＤモジュールＭＪｙでは、中心付近のＬＥＤ１１同士の間隔が、周辺付近のＬＥＤ１１同士の間隔よりも狭く、他方のＬＥＤモジュールＭＪｙでは、中心付近のＬＥＤ１１同士の間隔が、周辺付近のＬＥＤ１１同士の間隔よりも広くなっていてもよい。
【０１５４】
さらには、ＬＥＤモジュールＭＪｘとＬＥＤモジュールＭＪｙとを交差配置させたバックライトユニット４９（図２２および図２３参照）でも、一方のＬＥＤモジュールＭＪ（ＭＪｘまたはＭＪｙ）では、中心付近のＬＥＤ１１同士の間隔が、周辺付近のＬＥＤ１１同士の間隔よりも狭く、他方のＬＥＤモジュールＭＪ（ＭＪｙまたはＭＪｘ）では、中心付近のＬＥＤ１１同士の間隔が、周辺付近のＬＥＤ１１同士の間隔よりも広くなっていてもよい。
【０１５５】
要は、ＬＥＤモジュールＭＪが交差配置、対向配置、および環状配置のどのような配置であっても、少なくとも１つのＬＥＤモジュールＭＪにおけるＬＥＤ１１が、不規則ピッチで配置されていると、その配置に応じて効果が奏ずる。
【０１５６】
また、各ＬＥＤモジュールＭＪに含まれるＬＥＤ１１の個数も特に限定されることはない。例えば、図２４に示すように、ＬＥＤモジュールＭＪｘが対向配置している場合、中心付近のＬＥＤ１１同士の間隔を、周辺付近のＬＥＤ１１同士の間隔よりも狭くしたＬＥＤモジュールＭＪｘでのＬＥＤ１１の個数が、中心付近のＬＥＤ１１同士の間隔を、周辺付近のＬＥＤ１１同士の間隔よりも広くしたＬＥＤモジュールＭＪｘでのＬＥＤ１１の個数に比べて多くてもかまわない。なぜなら、バックライトユニット４９のコストバランス、消費電力のバランス、および、面状光のユニフォミティのバランスを考慮して、ＬＥＤ１１の個数は適宜変更されるためである。
【０１５７】
［実施の形態５］
実施の形態５について説明する。なお、実施の形態１〜４で用いた部材と同様の機能を有する部材については同一の符号を付記し、その説明を省略する。
【０１５８】
実施の形態１〜３のように、格子状配置の全てのＬＥＤ１１が、同方向に光を発し、その光が重なることで、面状光が形成される場合、実装基板１２は、１枚状であった。しかし、これに限定されるものではない。例えば、図２７（実施例２２）に示すように、実施例２の実装基板１２（図２参照）が、２分割されたような、小型の実装基板１２ｓが、バックライトユニット４９に搭載され、各実装基板１２ｓにおけるＬＥＤ１１の格子配置が同じであってもよい。
【０１５９】
このようになっていると、実装基板１２ｓのサイズが比較的小型になるので、バックライトユニット４９の製造過程における実装基板１２ｓの取り扱いが容易になる。さらに、電極配置（ひいては、ＬＥＤ１１の配置）を同じにした同種の実装基板１２ｓであるので、大量生産しやすく、その結果、実装基板１２ｓのコストも抑えられる。したがって、このような実装基板１２ｓを搭載するバックライトユニット４９は、容易に製造でき、コストも抑えられる。また、バックライトユニット４９のサイズ（ひいては、液晶表示パネル５９のサイズ）に拘泥されることなく、実装基板１２ｓが流用可能になる。
【０１６０】
なお、図２７では、実施例２の実装基板１２が２分割されたような小型の実装基板１２ｓであったが、実装基板１２の枚数は２枚に限定されるものではない。例えば、実施例２の実装基板１２が４分割されたような小型の実装基板１２Ｓの４枚が、バックライトユニット４９に搭載されてもよい。
【０１６１】
要は、ＬＥＤ１１を実装した実装基板１２が、複数個配置されているバックライトユニット４９にて、ＬＥＤ１１の配置形状を同じにする実装基板１２が複数個含まれることで、ＬＥＤ１１の配置が所望の配置になっていてもよい。
【０１６２】
また、図２８（実施例２３）に示すような実装基板１２であってもよい。すなわち、実施例２にて（図２参照）、列状に並んだＬＥＤ１１であるＹ方向列同士の間隔を均等にした実装基板１２が５枚、バックライトユニット４９に搭載されていてもよい。
【０１６３】
詳説すると、このバックライトユニット４９では、４本のＹ方向列同士の間隔を、間隔Px-aにそろえた１枚の実装基板１２ａが搭載される。また、この実装基板１２ａのＸ方向での両横に、３本のＹ方向列同士の間隔を、間隔Px-bにそろえた２枚の実装基板１２ｂが配置される。さらに、これら実装基板１２ｂ毎のＸ方向での横に、３本のＹ方向列同士の間隔を、間隔Px-cにそろえた実装基板１２ｃが配置される（ただし、各実装基板１２ａ〜１２ｃ同士の間隔は、適切に設定されている）。
【０１６４】
要は、ＬＥＤ１１を実装した実装基板１２（１２ａ、１２ｂ、１２ｂ、１２ｃ、１２ｃ）が、複数個配置されているバックライトユニット４９にて、単独の実装基板１２におけるＬＥＤ１１の配置間隔（例えば、実装基板１２ａでの配置間隔Px-a）は同じであるものの、実装基板間（１２ａ、１２ｂ、１２ｂ、１２ｃ、１２ｃ）でのＬＥＤ１１の配置間隔が異なっている。ただし、このようなＬＥＤ１１の配置間隔を異にする実装基板１２（１２ａ、１２ｂ、１２ｂ、１２ｃ、１２ｃ）が、複数個含まれていても、ＬＥＤ１１の配置が所望の配置になっている。
【０１６５】
このようなバックライトユニット４９であると、単独の実装基板１２におけるＬＥＤ１１の配置間隔は同じである。そのため、この実装基板１２は、極めて大量生産しやすく、その結果、実装基板１２のコストも抑えられる。また、実装基板１２（１２ａ、１２ｂ、１２ｂ、１２ｃ、１２ｃ）のサイズが比較的小型になるので、バックライトユニット４９の製造過程における実装基板１２の取り扱いが容易になる。したがって、このような実装基板１２を搭載するバックライトユニット４９は、容易に製造でき、コストも抑えられる。また、バックライトユニット４９のサイズに拘泥されることなく、実装基板１２が流用可能になる。
【０１６６】
なお、以上では、実施例２のＬＥＤモジュールＭＪを用いた例を、図２７（実施例２２）および図２８（実施例２３）を用いて説明したが、実施の形態１〜４で説明した他のＬＥＤモジュールＭＪであっても、同様のことが可能である。
【０１６７】
［その他の実施の形態］
なお、本発明は上記の実施の形態に限定されず、本発明の趣旨を逸脱しない範囲で、種々の変更が可能である。
【０１６８】
例えば、図２７に示されるようなＬＥＤ１１の配置の場合、ある仮想線ＩＬｙを設定できる。この仮想線ＩＬｙは、面状光における面内中心に重なり、面状光の面を複数に分けられる。そして、この分けられた１つの面状光の光を生成する複数のＬＥＤ１１の配置と、分けられた別の１つの面状光の光を生成する複数のＬＥＤ１１の配置とが、仮想線ＩＬyを基準に線対称になる。
【０１６９】
また、図２７に示すように、Ｙ方向に沿う仮想線ＩＬｙとは異なるＸ方向に沿う仮想線ＩＬｘも設定できる（なお、この仮想線ＩＬｘも面状光の面内中心に重なる）。そしてこの仮想線ＩＬｘで分けられた１つの面状光を生成するＬＥＤ１１の配置と、仮想線ＩＬｘで分けられたもう１つの面状光を生成するＬＥＤ１１の配置とが、仮想線ＩＬｘを基準に線対称になる（すなわち、仮想線ＩＬｙを基準に、ＬＥＤ１１の配置が、左右に対称であり、また、仮想線ＩＬｘを基準に、ＬＥＤ１１の配置が、上下に対称である）。
【０１７０】
また、図２７以外に示される他の多くのＬＥＤ１１の配置（例えば、図１〜図６、図８〜図１３、図１５・図１６、図２２〜図２５・図２８）であっても、面状光における面内中心に重なり、面状光を複数に分けられる仮想線ＩＬが、少なくとも１つ以上設定可能である。そして、分けられた１つの面状光の光を生成する複数のＬＥＤ１１の配置と、分けられた別の１つの面状光の光を生成する複数のＬＥＤ１１の配置とが、仮想線ＩＬを基準に線対称である。
【０１７１】
これらのようになっていると、図１９に示すコントロールユニット２１が、あるアルゴリズムにしたがって、ＬＥＤ１１を種々制御しようとする場合、同じ制御が繰り返されることから、制御負担が軽減される。また、面状光の輝度分布を左右するＬＥＤ１１の発光制御プログラムが作成しやすい。
【０１７２】
また、コントロールユニット２１、詳説すると、パルス幅変調部２６は、ＬＥＤ１１に供給する電流値を、ＬＥＤ１１毎に変化させる機能を有していてもよい。つまり、コントロールユニット２１は、ＬＥＤ１１に供給される電流値の高低で、ＬＥＤ１１の発光輝度を制御する（要は、コントロールユニット２１は、ＬＥＤ１１毎に、ＬＥＤ１１固有の発光輝度を変える）。
【０１７３】
そして、このような機能を有したコントロールユニット２１であると、例えば、実施例３と同様のＬＥＤ１１の配置を示す図２９（実施例２４）に示すように、網点ハッチングで覆われたＬＥＤ１１に供給される電流値と、それ以外のＬＥＤ１１に供給される電流値とを、異ならせることが可能になる。
【０１７４】
このようにコントロールユニット（電流制御部）２１が、ＬＥＤ１１に供給される電流値を、広い配置間隔を形成するＬＥＤ１１と狭い配置間隔を形成するＬＥＤ１１とで異ならせる場合、詳説すると、広い配置間隔を形成するＬＥＤ１１に供給される電流値が、狭い配置間隔を形成するＬＥＤ１１に供給される電流値に比べて、高くされていると、以下のようなことがいえる。
【０１７５】
すなわち、実施の形態１での実施例３のバックライトユニット４９は、ＬＥＤ１１の個数を抑制させつつも、人間に、面状光全体を均一な輝度を有するものとして認識させるべく、ＬＥＤ１１の配置（図３参照）を工夫して、面状光の中心付近の輝度を、その中心付近以外の領域の輝度に比べて、明るくさせていた。
【０１７６】
しかしながら、実施例２４である図２９に示されるように、図３（実施例３）と同様のＬＥＤ１１の配置であっても、コントロールユニット２１の電流値制御で、広い配置間隔を形成するＬＥＤ１１（斜線ハッチングを付されたＬＥＤ１１）に供給される電流値が、狭い配置間隔を形成するＬＥＤ１１（ハッチングの無いＬＥＤ１１）に供給される電流値に比べて、高くなる。すると、面内中心付近以外の領域の輝度も、面状光の中心付近の領域の輝度に近づく。
【０１７７】
そのため、実施例２４に示されるＬＥＤ１１を搭載したバックライトユニット４９は、比較的少ないＬＥＤ１１の個数であっても、実施例３のバックライトユニット４９に比べて、面状光のユニフォミティを確実に向上させる。
【０１７８】
また、コントロールユニット２１は、例えば、実施例１０と同様のＬＥＤ１１の配置を示す図３０（実施例２５）に示すように、網点ハッチングで覆われたＬＥＤ１１に供給される電流値と、それ以外のＬＥＤ１１に供給される電流値とを、異ならせてもよい。
【０１７９】
すなわち、実施の形態２での実施例１０のバックライトユニット４９は、ＬＥＤ１１の個数を抑制させつつも、面状光のユニフォミティを確保しつつ、面状光の周辺領域の輝度不足を防ぐべく、ＬＥＤ１１の配置（図１０参照）を工夫して、面状光の中心付近以外の領域の輝度を、面状光の中心付近の輝度に比べて、明るくさせていた。
【０１８０】
しかしながら、実施例２５である図３０に示されるように、図１０（実施例１０）と同様のＬＥＤ１１の配置であっても、コントロールユニット２１の電流値制御で、広い配置間隔を形成するＬＥＤ１１（斜線ハッチングを付されたＬＥＤ１１）に供給される電流値が、狭い配置間隔を形成するＬＥＤ１１（ハッチングの無いＬＥＤ１１）に供給される電流値に比べて、高くなる。すると、面内中心付近の領域の輝度も、面状光の中心付近以外の領域の輝度に近づく。
【０１８１】
したがって、実施例２５に示されるＬＥＤ１１を搭載したバックライトユニット４９は、比較的少ないＬＥＤ１１の個数であっても、実施例１０のバックライトユニット４９に比べて、面状光のユニフォミティを確実に向上させる。
【０１８２】
なお、実施例２４・２５では、コントロールユニット２１によるＬＥＤ１１への電流制御で、ＬＥＤ１１毎のＬＥＤ１１固有の発光輝度を変え、面状光のユニフォミティを向上させていた。しかし、これに限らず、ＬＥＤ１１の発光効率の差異で（要は、一定電流を供給された場合に、発光輝度の異なるＬＥＤ１１を用いることで）、面状光のユニフォミティを向上させることもできる。すなわち、広い配置間隔を形成するＬＥＤ１１の発光効率は、狭い配置間隔を形成するＬＥＤ１１の発光効率に比べて、高くなっていてもよい。
【０１８３】
例えば、図２９および図３０に示される広い配置間隔を形成するＬＥＤ１１（斜線ハッチングを付されたＬＥＤ１１）の発光効率が、狭い配置間隔を形成するＬＥＤ１１（ハッチングの無いＬＥＤ１１）の発光効率に比べて、高くなるとよい。また、このようになっていると、発光輝度の低い比較的安価なＬＥＤ１１を用いることも可能になるので、バックライトユニット４９のコストが抑えられる。
【０１８４】
なお、以上のようなＬＥＤ１１に供給される電流値の差異によって、面状光の輝度分布に変化を与えるコントロールユニット２１は、輝度可変システムと称せる。また、面状光の輝度分布に変化を与えるために、面状光を生成する複数のＬＥＤ１１に、発光効率の異なるＬＥＤ１１を含ませることも、輝度可変システムと称せる（なお、面状光の輝度分布に変化を与えるということは、不均一な輝度分布の面状光を均一にさせるように変化させること、または、均一な輝度分布の面状光に、人間の視覚特性上、問題にならないレベルで、不均一な輝度分布に変化させること等を意味する）。
【０１８５】
また、以上では、コントロールユニット２１は、不均等配置のＬＥＤ１１に対して電流を供給していたが、これ限定されるものではない。すなわち、全ＬＥＤ１１を、例えば均等ピッチで格子配置させたバックライトユニット４９にあっても、コントロールユニット２１は、面状光の輝度分布に変化を与えられる。
【０１８６】
例えば、均等配置のＬＥＤ１１が格子配置されている場合、その格子配置のＬＥＤ１１の群にて、中心付近のＬＥＤ１１に供給される電流値と、周辺付近のＬＥＤ１１に供給される電流値とが、異なっていてもよい。このようなバックライトユニット４９であれば、人間に、面状光全体を均一な輝度を有するものとして認識させることも、面状光のユニフォミティを確保しつつも、面状光の周辺領域の輝度不足を防ぐこともできる。
【０１８７】
同様に、以上では、発光効率の異なるＬＥＤ１１が不均等配置された例を挙げていたが、これ限定されるものではない。すなわち、発光効率の異なるＬＥＤが、格子状に均等配置したバックライトユニット４９であっても、面状光の輝度分布に、輝度変化を与えられる。
【０１８８】
例えば、均等配置のＬＥＤ１１が格子配置されている場合、その格子配置のＬＥＤ１１の群にて、中心付近のＬＥＤ１１の発光効率と、周辺付近のＬＥＤ１１の発光効率とが、異なっていてもよい。このようなバックライトユニット４９であれば、人間に、面状光全体を均一な輝度を有するものとして認識させることも、面状光のユニフォミティを確保しつつも、面状光の周辺領域の輝度不足を防ぐこともできる。
【０１８９】
また、格子配置における全ＬＥＤ１１の発光色は、同色（例えば白色）である必要はない（すなわち、全ＬＥＤ１１が、白色発光のＬＥＤ１１Ｗである必要はない）。例えば、面状光の周辺付近の光を、白色発光ＬＥＤ１１Ｗで生成する一方、面状光の中心付近の光を、赤色発光ＬＥＤ１１Ｒ、緑色発光ＬＥＤ１１Ｇ、青色発光ＬＥＤ１１Ｂの混色で生成してもよい。
【０１９０】
具体的な一例を挙げると、例えば、図１５に示される実施例１５のＬＥＤ１１のうち、中心分割領域１３Ｃに収まる４つのＬＥＤ１１が、ＬＥＤ１１Ｒ、ＬＥＤ１１Ｇ、ＬＥＤ１１Ｇ、ＬＥＤ１１Ｂであり、周辺分割領域１３Ｔに収まる１つのＬＥＤ１１が、ＬＥＤ１１Ｗであるとよい。
【０１９１】
このようになっていると、面状光の中心付近は、周辺に比べて混色生成された白色光になっているので、単色発光の白色光よりも鮮やかな白色になる。そのため、このような面状光を受ける液晶表示パネル５９の画像の主要部分（液晶表示パネル５９の中心付近）も鮮やかな画像になる。
【０１９２】
なお、以上では、点状光源として、発光素子であるＬＥＤ１１を例に挙げて説明したが、これに限定されるものではない。例えば、レーザ素子のような発光素子、あるいは、有機ＥＬ（Electro-Luminescence）または無機ＥＬのような自発光材料で形成される発光素子であってもかまわない。また、発光素子に限らず、ランプのような点状光源であってもかまわない。
【０１９３】
また、図１９に示されるコントロールユニット２１は、液晶表示パネル５９に搭載されていても、バックライトユニット４９に搭載されていてもよい。要は、これら部材は、液晶表示装置６９に搭載されていればよい。
【０１９４】
なお、以上のようなバックライトユニット４９は、面状光（すなわち、バックライト光ＢＬ）で、液晶表示パネル５９に映る画像の品位を向上させる場合に、特に有用である。
【符号の説明】
【０１９５】
１１        ＬＥＤ（発光素子）
１２        実装基板
１２Ｕ      実装面
ＭＪ        ＬＥＤモジュール（発光モジュール）
１３        分割領域
１３Ｃ      中心分割領域
１３Ｔ      周辺分割領域
２１        コントロールユニット
２２        映像信号処理部
２３        液晶表示パネルコントローラ
２４        ＬＥＤコントローラ
２５        ＬＥＤドライバー制御部
２６        パルス幅変調部
３１        ゲートドライバー
３２        ソースドライバー
３３        ＬＥＤドライバー
４１        バックライトシャーシ
４２        導光板
４３        反射シート
４４        拡散シート
４５        プリズムシート
４６        プリズムシート
４９        バックライトユニット（照明装置）
５９        液晶表示パネル（表示パネル）
６９        液晶表示装置（表示装置）
Ｘ          ＬＥＤの並列方向
Ｙ          ＬＥＤの並列方向
【図１】
2011024498.tif 000003
【図２】
2011024498.tif 000004
【図３】
2011024498.tif 000005
【図４】
2011024498.tif 000006
【図５】
2011024498.tif 000007
【図６】
2011024498.tif 000008
【図７】
2011024498.tif 000009
【図８】
2011024498.tif 000010
【図９】
2011024498.tif 000011
【図１０】
2011024498.tif 000012
【図１１】
2011024498.tif 000013
【図１２】
2011024498.tif 000014
【図１３】
2011024498.tif 000015
【図１４】
2011024498.tif 000016
【図１５】
2011024498.tif 000017
【図１６】
2011024498.tif 000018
【図１７】
2011024498.tif 000019
【図１９】
2011024498.tif 000020
【図２１】
2011024498.tif 000021
【図２２】
2011024498.tif 000022
【図２３】
2011024498.tif 000023
【図２４】
2011024498.tif 000024
【図２５】
2011024498.tif 000025
【図２６】
2011024498.tif 000026
【図２７】
2011024498.tif 000027
【図２８】
2011024498.tif 000028
【図２９】
2011024498.tif 000029
【図３０】
2011024498.tif 000030
【図３１】
2011024498.tif 000031
【図３２】
2011024498.tif 000032
【図１８】
2011024498.tif 000033
【図２０】
2011024498.tif 000034
【手続補正書】
【提出日】平成24年2月17日(2012.2.17)
【手続補正１】
【補正対象書類名】明細書
【補正対象項目名】００４３
【補正方法】変更
【補正の内容】
【００４３】
なお、ＬＥＤ１１は、白色光のＬＥＤ１１Ｗに限らず、例えば、赤色発光のＬＥＤ１１Ｒ、緑色発光のＬＥＤ１１Ｇ、青色発光のＬＥＤ１１Ｂであってもかまわない。ただし、これらの赤色発光ＬＥＤ１１Ｒ、緑色発光ＬＥＤ１１Ｇ、青色発光ＬＥＤ１１Ｂは、混色で白色光を生成可能なように、比較的密集して配置されると望ましい。
【手続補正２】
【補正対象書類名】明細書
【補正対象項目名】００４５
【補正方法】変更
【補正の内容】
【００４５】
拡散シート４４は、ＬＥＤ１１を敷き詰めた実装面１２Ｕに重なる板状の光学シートであり、ＬＥＤモジュールＭＪから発せられる光を受け、その光を拡散させる。すなわち、拡散シート４４は、ＬＥＤモジュールＭＪによって形成される面状光を拡散させて、液晶表示パネル５９全域に光をいきわたらせる。
【手続補正３】
【補正対象書類名】明細書
【補正対象項目名】００５７
【補正方法】変更
【補正の内容】
【００５７】
ＬＥＤドライバー制御部２５は、映像信号処理部２２からのセパレータ信号ＶＤ−Ｓｄをパルス幅変調部２６に送信する。また、ＬＥＤドライバー制御部２５は、同期信号（クロック信号ＣＬＫ、垂直同期信号ＶＳ、水平同期信号ＨＳ等）からＬＥＤ１１の点灯タイミング信号Ｌ−ＴＳを生成して、ＬＥＤドライバー３３に送信する。
【手続補正４】
【補正対象書類名】明細書
【補正対象項目名】００５８
【補正方法】変更
【補正の内容】
【００５８】
パルス幅変調部２６は、受信したセパレータ信号ＶＤ−Ｓｄに基づいて、パルス幅変調（Pulse  Width  Modulation；ＰＷＭ）方式で、LＬＥＤ１１の発光時間を調整する（なお、このようなパルス幅変調に使用される信号をＰＷＭ信号と称する）。詳説すると、パルス幅変調部２６は、ＬＥＤ１１の発光制御に適したＰＷＭ信号を、ＬＥＤドライバー３３に送信する
【手続補正５】
【補正対象書類名】明細書
【補正対象項目名】００５９
【補正方法】変更
【補正の内容】
【００５９】
すると、ＬＥＤドライバー３３は、ＬＥＤコントローラ２４からの信号（ＰＷＭ信号、タイミング信号Ｌ−ＴＳ）に基づいて、ＬＥＤ１１を点灯制御する。
【手続補正６】
【補正対象書類名】明細書
【補正対象項目名】００６９
【補正方法】変更
【補正の内容】
【００６９】
なお、面状光が、面内中心を含む領域の中心区画と、その領域以外の領域から成る周辺区画とに分けられた場合、周辺区画は、さらに複数に分けられてもかまわない。そして、区分けされた周辺小区画の光を生成するＬＥＤ１１の間隔が、周辺小区画毎に異なっていてもよい（例えば、図１のＬＥＤ１１配置の場合、中心区画に近い周辺小区画に対応するＸ方向列同士の間隔Py-bは、残りの周辺小区画に対応するＸ方向列同士の間隔Py-cに比べて短い）。
【手続補正７】
【補正対象書類名】明細書
【補正対象項目名】０１２８
【補正方法】変更
【補正の内容】
【０１２８】
また、図１４（実施例１４）に示すように、千鳥状に配置されたＬＥＤ１１の群にて、Ｘ方向列およびＹ方向列に含まれないＬＥＤ（網点ハッチングを付されたＬＥＤ１１）が、含まれていてもかまわない。また、図８〜図１０に示されるような、マトリックス状に配置されたＬＥＤ１１の群にて、Ｘ方向列およびＹ方向列に含まれないＬＥＤが、含まれていてもかまわない。このように、散らばった配置のＬＥＤ１１があれば、面状光の輝度調整の自由度が向上するためである(要は、細やかな輝度調整が可能になる)。
【手続補正８】
【補正対象書類名】明細書
【補正対象項目名】０１３５
【補正方法】変更
【補正の内容】
【０１３５】
［実施の形態４］
実施の形態４について説明する。なお、実施の形態１〜３で用いた部材と同様の機能を有する部材については同一の符号を付記し、その説明を省略する。
【手続補正９】
【補正対象書類名】明細書
【補正対象項目名】０１７３
【補正方法】変更
【補正の内容】
【０１７３】
そして、このような機能を有したコントロールユニット２１であると、例えば、実施例３と同様のＬＥＤ１１の配置を示す図２９（実施例２４）に示すように、斜線ハッチングで覆われたＬＥＤ１１に供給される電流値と、それ以外のＬＥＤ１１に供給される電流値とを、異ならせることが可能になる。
【手続補正１０】
【補正対象書類名】明細書
【補正対象項目名】０１７８
【補正方法】変更
【補正の内容】
【０１７８】
また、コントロールユニット２１は、例えば、実施例１０と同様のＬＥＤ１１の配置を示す図３０（実施例２５）に示すように、斜線ハッチングで覆われたＬＥＤ１１に供給される電流値と、それ以外のＬＥＤ１１に供給される電流値とを、異ならせてもよい。
【国際調査報告】
2011024498.tif 000035
2011024498.tif 000036